(57)【要約】【課題】遊技への意欲の低下を抑制することができる遊技機を提供する。【解決手段】主制御用ＣＰＵは、大当りの抽選結果に基づく図柄変動ゲームでの導出結果の導出後、大入賞口を開閉させる開閉制御を行い、特定の当り遊技では、大当り遊技中と大当り遊技の非実行中との移行に際し、大入賞口への入球により利益を獲得困難な利益獲得困難態様での開閉制御を伴う。演出制御用ＣＰＵは、大当りの抽選結果に基づく図柄変動ゲームでの導出結果の導出後、大当り遊技に関わる演出を行わせ、特定の当り遊技に関わる演出として、利益獲得困難態様での開閉制御を伴う間、ゲーム用演出と見た目上に同一と認識可能な当り遊技用演出を行わせるように制御する。【選択図】図６
2014023850.tif 000002
【特許請求の範囲】
【請求項１】
当りか否かの当り抽選の抽選結果を導出する結果導出ゲームを実行するゲーム実行手段を備え、前記結果導出ゲームにて導出された導出結果に応じて、特別入賞口が開放される当り遊技が行われる遊技機において、
前記当り抽選の抽選結果に基づくゲーム用演出を伴わせて前記結果導出ゲームを前記ゲーム実行手段に行わせるように制御するゲーム制御手段と、
当りの抽選結果に基づく前記結果導出ゲームでの導出結果の導出後、前記特別入賞口を開閉させる開閉制御を行う開閉制御手段と、
当りの抽選結果に基づく前記結果導出ゲームでの導出結果の導出後、前記当り遊技に関わる演出を前記ゲーム実行手段に行わせるように制御する当り遊技演出制御手段と、を備え、
前記当り遊技には、該当り遊技中と該当り遊技の非実行中との移行に際し、前記特別入賞口への入球により利益を獲得困難な利益獲得困難態様での前記開閉制御を伴う特定の当り遊技を含み、
前記当り遊技演出制御手段は、前記特定の当り遊技に関わる演出として、前記利益獲得困難態様での前記開閉制御を伴う間、前記ゲーム用演出と見た目上に同一と認識可能な当り遊技用演出を行わせるように制御することを特徴とする遊技機。
【請求項２】
前記特定の当り遊技には、その開始から前記利益獲得困難態様での前記開閉制御を伴う場合を含み、
前記当り遊技演出制御手段は、前記特定の当り遊技へと繋がる前記結果導出ゲームにて導出結果が確定的に導出されてから前記利益獲得困難態様での前記開閉制御を伴う間、前記当り遊技用演出を行わせるように制御する請求項１に記載の遊技機。
【請求項３】
前記特定の当り遊技には、その終了に際し前記利益獲得困難態様での前記開閉制御を伴い場合を含み、
前記当り遊技演出制御手段は、前記利益獲得困難態様での前記開閉制御を伴ってから次の前記結果導出ゲームの開始までの間、前記当り遊技用演出を行わせるように制御する請求項１又は請求項２に記載の遊技機。
【請求項４】
前記特定の当り遊技では、前記利益獲得困難態様での前記開閉制御が連続して伴われるとともに、前記特別入賞口への入球により利益を獲得し得る利益獲得可能態様での前記開閉制御が連続して伴われるように構成されている請求項１〜請求項３のうちいずれか一項に記載の遊技機。
【請求項５】
前記当り遊技演出制御手段は、前記特定の当り遊技にて前記利益獲得困難態様での前記開閉制御を伴う場合と、前記特定の当り遊技にて前記利益獲得可能態様での前記開閉制御を伴う場合とで異なる内容の当り遊技用演出を行わせる請求項４に記載の遊技機。
【発明の詳細な説明】
【技術分野】
【０００１】
本発明は、結果導出ゲームでの導出結果に応じて、特別入賞口が開放可能に構成された遊技機に関するものである。
【背景技術】
【０００２】
従来、遊技機の一種であるパチンコ遊技機では、遊技盤に設けた始動入賞口へ遊技球が入賞した場合に、大当りとするか否か等の各種判定で大当りとなった場合、大入賞口が開閉動作して行われる大当り遊技が付与されるようにしたものがある（例えば、特許文献１）。
【０００３】
そして、特許文献１に記載されるパチンコ遊技機では、大当りの当選に基づく大当りの種類に応じた開閉態様で大入賞口を開閉させるようにしている。例えば、５ラウンドや１５ラウンドの通常当りや確変当りに当選した場合には、大入賞口の開閉態様として、遊技球の入賞を十分に見込める１１秒や１４秒や２９秒の開閉動作の前にこれらよりも短い１秒間の開閉動作を複数回（２回〜５回）伴わせる内容を定めている。
【先行技術文献】
【特許文献】
【０００４】
【特許文献１】特開２００９−２６１６１３号公報
【発明の概要】
【発明が解決しようとする課題】
【０００５】
ところで、特許文献１のパチンコ遊技機にあっては、遊技球の入賞を十分に見込める１１秒や１４秒や２９秒に比べて短い１秒の開閉動作の場合、遊技球の入賞の見込みも低いと言える。さらに近年では１秒よりも短い開閉動作を設定するものあり、他と比較して短い時間の開閉動作が繰り返される間は、遊技球を発射しても無駄球の増加に繋がる遊技者が無駄とも思えてしまうことから、遊技への意欲の低下を招く要因の一つでもあった。
【０００６】
本発明は、このような実情に鑑みてなされたものであり、その目的は、遊技への意欲の低下を抑制することができる遊技機を提供することにある。
【課題を解決するための手段】
【０００７】
上記問題点を解決するために、請求項１に記載の発明は、当りか否かの当り抽選の抽選結果を導出する結果導出ゲームを実行するゲーム実行手段を備え、前記結果導出ゲームにて導出された導出結果に応じて、特別入賞口が開放される当り遊技が行われる遊技機において、前記当り抽選の抽選結果に基づくゲーム用演出を伴わせて前記結果導出ゲームを前記ゲーム実行手段に行わせるように制御するゲーム制御手段と、当りの抽選結果に基づく前記結果導出ゲームでの導出結果の導出後、前記特別入賞口を開閉させる開閉制御を行う開閉制御手段と、当りの抽選結果に基づく前記結果導出ゲームでの導出結果の導出後、前記当り遊技に関わる演出を前記ゲーム実行手段に行わせるように制御する当り遊技演出制御手段と、を備え、前記当り遊技には、該当り遊技中と該当り遊技の非実行中との移行に際し、前記特別入賞口への入球により利益を獲得困難な利益獲得困難態様での前記開閉制御を伴う特定の当り遊技を含み、前記当り遊技演出制御手段は、前記特定の当り遊技に関わる演出として、前記利益獲得困難態様での前記開閉制御を伴う間、前記ゲーム用演出と見た目上に同一と認識可能な当り遊技用演出を行わせるように制御することを特徴とすることを要旨とする。
【０００８】
請求項２に記載の発明は、請求項１に記載の遊技機において、前記特定の当り遊技には、その開始から前記利益獲得困難態様での前記開閉制御を伴う場合を含み、前記当り遊技演出制御手段は、前記特定の当り遊技へと繋がる前記結果導出ゲームにて導出結果が確定的に導出されてから前記利益獲得困難態様での前記開閉制御を伴う間、前記当り遊技用演出を行わせるように制御することを要旨とする。
【０００９】
請求項３に記載の発明は、請求項１又は請求項２に記載の遊技機において、前記特定の当り遊技には、その終了に際し前記利益獲得困難態様での前記開閉制御を伴い場合を含み、前記当り遊技演出制御手段は、前記利益獲得困難態様での前記開閉制御を伴ってから次の前記結果導出ゲームの開始までの間、前記当り遊技用演出を行わせるように制御することを要旨とする。
【００１０】
請求項４に記載の発明は、請求項１〜請求項３のうちいずれか一項に記載の遊技機において、前記特定の当り遊技では、前記利益獲得困難態様での前記開閉制御が連続して伴われるとともに、前記特別入賞口への入球により利益を獲得し得る利益獲得可能態様での前記開閉制御が連続して伴われるように構成されていることを要旨とする。
【００１１】
請求項５に記載の発明は、請求項４に記載の遊技機において、前記当り遊技演出制御手段は、前記特定の当り遊技にて前記利益獲得困難態様での前記開閉制御を伴う場合と、前記特定の当り遊技にて前記利益獲得可能態様での前記開閉制御を伴う場合とで異なる内容の当り遊技用演出を行わせることを要旨とする。
【発明の効果】
【００１２】
本発明によれば、遊技への意欲の低下を抑制することができる。
【図面の簡単な説明】
【００１３】
【図１】パチンコ遊技機の機表側を示す正面図。
【図２】大当り遊技の種類を説明する説明図。
【図３】パチンコ遊技機の電気的構成を示すブロック図。
【図４】演出モードを示す説明図。
【図５】演出モードの移行遷移を示す説明図。
【図６】（ａ）〜（ｄ）は、パチンコ遊技機において実行される演出内容と大入賞口の開放タイミングとを示す説明図。
【図７】（ａ）〜（ｈ）は、演出表示装置の表示態様を説明する説明図。
【図８】（ａ）〜（ｈ）は、演出表示装置の表示態様を説明する説明図。
【図９】（ａ）〜（ｈ）は、演出表示装置の表示態様を説明する説明図。
【図１０】（ａ）〜（ｈ）は、演出表示装置の表示態様を説明する説明図。
【発明を実施するための形態】
【００１４】
［第１実施形態］
以下、本発明をパチンコ遊技機に具体化した第１実施形態について図１〜図１０を参照して説明する。
【００１５】
図１に示すように、パチンコ遊技機の遊技盤１０のほぼ中央には、液晶ディスプレイ型の画像表示部ＧＨを有するゲーム実行手段としての演出表示装置１１が配設されている。演出表示装置１１には、複数の図柄列（本実施形態では３列）を変動表示させて行う結果導出ゲームとしての図柄変動ゲーム（以下、「変動ゲーム」と示す）を含み、該変動ゲームに関連して実行される各種の表示演出が画像表示される。なお、演出表示装置１１の変動ゲームは、表示演出を多様化するための飾り図柄（演出図柄、以下、「飾図」と示す）を用いて行われる。
【００１６】
また、演出表示装置１１の右下には、７セグメント型の特別図柄表示装置１２が配設されている。特別図柄表示装置１２では、特別図柄（以下、「特図」と示す）を変動させて表示する変動ゲームが行われる。特図は、大当りか否かの内部抽選（大当り抽選）の結果、小当りか否かの内部抽選（小当り抽選）の結果を示す報知用の図柄である。本実施形態において、変動ゲームは、特別図柄表示装置１２において、特図の変動表示が開始されてから確定停止表示される迄を１回として実行される。
【００１７】
本実施形態において特別図柄表示装置１２には、複数種類の特図の中から、大当り抽選の抽選結果又は小当り抽選の抽選結果に対応する１つの特図が選択され、その選択された特図が変動ゲームの終了によって個別に確定停止表示される。特図は、大当りを認識し得る図柄となる大当り図柄（大当り表示結果）と、小当りを認識し得る図柄となる小当り図柄（小当り表示結果）と、はずれを認識し得る図柄となるはずれ図柄（はずれ表示結果）とに分類される。また、大当り図柄が確定停止表示された場合、遊技者には、大当り遊技が付与される。また、小当り図柄が確定停止表示された場合、遊技者には、小当り遊技が付与される。つまり、変動ゲームでは、図柄が確定停止表示されることによって当り抽選（大当り抽選及び小当り抽選）の抽選結果が導出される。
【００１８】
また、本実施形態において演出表示装置１１には、複数の図柄列毎に複数種類の数字が飾図として表示されるようになっている。そして、本実施形態において演出表示装置１１は、特別図柄表示装置１２に比較して大きい表示領域で構成されるとともに、飾図は特図に比較して遥かに大きく表示されるようになっている。このため、遊技者は、演出表示装置１１に確定停止表示された図柄から当り（大当り及び小当り）又ははずれを認識し得る。
【００１９】
そして、演出表示装置１１には、特別図柄表示装置１２の表示結果に応じた表示結果が表示される。具体的に言えば、特別図柄表示装置１２に大当り図柄（大当り表示結果）が確定停止表示される場合には、原則として、演出表示装置１１にも大当り図柄（大当り表示結果）が確定停止表示される。本実施形態において、飾図による大当り図柄としては、全列の図柄が同一図柄となる図柄組み合わせである。
【００２０】
また、特別図柄表示装置１２にはずれ図柄が確定停止表示される場合には、演出表示装置１１にもはずれ図柄（はずれ表示結果）が確定停止表示される。本実施形態において、飾図によるはずれ図柄としては、全列の図柄が異なる図柄となる図柄組み合わせ、又は１列の図柄が他の２列の図柄とは異なる図柄となる図柄組み合わせである。
【００２１】
また、特別図柄表示装置１２に小当り図柄（小当り表示結果）が確定停止表示される場合、演出表示装置１１に確変示唆図柄（確変示唆表示結果）が確定停止表示される。また、特別図柄表示装置１２に大当りを認識し得る大当り図柄（大当り表示結果）が確定停止表示される場合でも、演出表示装置１１に確変示唆図柄（確変示唆表示結果）が確定停止表示される場合もある。なお、この確変示唆図柄は、大当りの当選確率を低確率状態から高確率状態へ変動させる確率変動状態（以下、「確変状態」と示す）が付与される可能性を示唆する図柄である。本実施形態において、飾図による確変示唆図柄としては、全列の図柄が異なる図柄となる図柄組み合わせの中でも、所定の図柄組み合わせが該当する。
【００２２】
また、演出表示装置１１では、遊技者側から見て左列→右列→中列の順に図柄の変動表示が停止するようになっており、特定の２列（本実施形態では左右の２列）に同一の図柄が一旦停止表示された場合、リーチ状態が形成される。ここで、一旦停止表示とは、画像表示部ＧＨにおいてゆれ変動状態で表示されている状態であり、画像表示部ＧＨにおいて図柄が確定停止している確定停止表示とは区別される。本実施形態では、複数の図柄列のうち左列が第１停止列、右列が第２停止列、中列が第３停止列となり、左列及び右列がリーチ状態を形成するリーチ形成列となる。
【００２３】
特別図柄表示装置１２の右には、複数個（本実施形態では２個）の特図保留発光部を有する特別図柄保留表示装置１３が配設されている。特別図柄保留表示装置１３は、機内部で記憶した変動ゲームにおける特図用の始動保留球の記憶数を遊技者に報知する。なお、以下、変動ゲームにおける特図用の始動保留球の記憶数を「保留記憶数」と示す。保留記憶数は、遊技盤１０に配設した始動手段としての第１始動入賞口１４又は第２始動入賞口１５に遊技球が入賞することで「１」加算される一方で、変動ゲームの開始により「１」減算される。したがって、変動ゲーム中に第１始動入賞口１４又は第２始動入賞口１５へ遊技球が入賞すると、保留記憶数は更に加算されるとともに、所定の上限数（本実施形態では「４」）まで累積される。
【００２４】
また、特別図柄保留表示装置１３の右には、複数個（本実施形態では２個）の普図発光部を有する普通図柄表示装置２０が配設されている。普通図柄表示装置２０では、複数種類の普通図柄を変動させて表示する普通図柄変動ゲームが行われる。普通図柄は、普通当りか否かの内部抽選（普通当り抽選）の結果を示す報知用の図柄である。なお、以下、普通図柄を「普図」と示し、普通図柄ゲームを「普図ゲーム」と示す。また、この普図ゲームにおいても変動ゲームと同じように、遊技盤１０に配設した作動ゲート１９に遊技球が通過（入球）することで普図用の始動保留球（普図始動保留球）が記憶される。この普図始動保留球の記憶数（普図保留記憶数）は、作動ゲート１９への遊技球の通過により、所定の上限数（本実施形態では「４」）を上限として「１」加算される一方で、普図ゲームの開始により「１」減算される。また、本実施形態において、変動ゲームと普図ゲームとは同時に実行可能である。
【００２５】
演出表示装置１１の下方には、遊技球の第１入賞口１４ａ（入球口、第１入球口）を有する第１始動入賞口１４が配設されている。第１始動入賞口１４の奥方には入賞した遊技球を検知する第１始動口スイッチＳＷ１（図３に示す）が配設されている。第１始動入賞口１４は、入賞した遊技球を第１始動口スイッチＳＷ１で検知することにより、変動ゲームの始動条件と予め定めた個数の賞球としての遊技球の払出条件を付与し得る。なお、本実施形態において、符号Ｙに示すように遊技球が遊技盤１０の右側から転動したときには、符号Ｘに示すように遊技盤１０の左側から転動したときよりも、第１始動入賞口１４に入賞し難くなるように、障害釘等が配設されている。つまり、第１始動入賞口１４は、遊技盤１０の左側を主とする第１流路Ｘに設けられている。
【００２６】
また、演出表示装置１１の右下には、遊技球の第２入賞口１５ａ（入球口、第２入球口）を有する第２始動入賞口１５が配設されている。第２始動入賞口１５は普通電動役物とされ、普通電動役物ソレノイドＳＯＬ１（図３に示す）の作動により開閉動作を行う開閉手段としての開閉羽根１６を備えている。第２始動入賞口１５は、開閉羽根１６の開動作により第２入賞口１５ａが開放されることで遊技球の入賞が許容される。つまり、第２始動入賞口１５は、開閉羽根１６の開動作により開状態（第１状態）とされたときには、閉状態（第２状態）とされたときよりも第２入賞口１５ａに遊技球が入賞（入球）し易くなる。そして、第２始動入賞口１５の奥方には入賞した遊技球を検知する第２始動口スイッチＳＷ２（図３に示す）が配設されている。第２始動入賞口１５は、入賞した遊技球を第２始動口スイッチＳＷ２で検知することにより、変動ゲームの始動条件と予め定めた個数の賞球としての遊技球の払出条件を付与し得る。なお、本実施形態において、遊技球が遊技盤１０の右側から転動するときには、遊技盤１０の左側から転動するときよりも、第２始動入賞口１５に入賞し易くなるように障害釘等が配設されている。つまり、第２始動入賞口１５は、遊技盤１０の左側を主とする第１流路Ｘとは異なり、遊技盤１０の右側を主とする第２流路Ｙに設けられている。
【００２７】
また、第２始動入賞口１５の上には、作動ゲート１９が配設されている。作動ゲート１９の奥方には、通過した遊技球を検知するゲートスイッチＳＷ４（図３に示す）が配設されている。作動ゲート１９は、通過した遊技球をゲートスイッチＳＷ４で検知することにより、普図ゲームの始動条件を付与し得る。普図ゲームは、第２始動入賞口１５の開閉羽根１６を開状態とするか否かの抽選結果を導出するために行われる演出である。即ち、普通当り抽選に当選すると、開閉羽根１６の開放によって第２始動入賞口１５に遊技球を入賞させ易くなり、遊技者は、変動ゲームの始動条件と賞球を容易に獲得できる機会を得ることができる。
【００２８】
また、第２始動入賞口１５の下方には、大入賞口ソレノイドＳＯＬ２（図３に示す）の作動により開閉動作を行う大入賞口扉１７を備えた大入賞口１８が配設されている。大入賞口１８の奥方には、入賞した遊技球を検知するカウントスイッチＳＷ３（図３に示す）が配設されている。特別入賞口としての大入賞口１８は、入賞した遊技球を検知することにより、予め定めた個数の賞球としての遊技球の払出条件を付与し得る。大入賞口１８は、変動ゲームにおける大当り遊技中に大入賞口扉１７が奥行き方向に移動する開動作によって開放されることで遊技球の入賞が許容される。このため、大当り遊技中、遊技者は、賞球を獲得できる機会を得ることができる。なお、本実施形態において、遊技球が遊技盤１０の右側から転動するときには、遊技盤１０の左側から転動するときよりも、大入賞口１８に入賞し易くなるように障害釘等が配設されている。
【００２９】
この大当り遊技は、大当り抽選で大当りに当選し、特別図柄表示装置１２において変動ゲームで大当り図柄が確定停止表示されて該ゲームの終了後、開始される。大当り遊技が開始すると、原則として、最初に大当り遊技の開始を示すオープニング演出が行われる。オープニング演出の終了後には、大入賞口１８が開放されるラウンド遊技が予め定めた規定ラウンド数を上限として複数回行われる。１回のラウンド遊技は、大入賞口１８の開閉が所定回数（本実施形態では１回）行われる迄であり、１回のラウンド遊技中に大入賞口１８に、規定個数（入賞上限個数）の遊技球が入賞する迄の間、又は規定時間（ラウンド遊技時間）が経過するまでの間、開放される。ラウンド遊技では、原則として、ラウンド演出が行われる。そして、規定ラウンド数のラウンド遊技が終了すると、原則として、大当り遊技の終了を示すエンディング演出が行われ、大当り遊技は終了される。
【００３０】
また、本実施形態のパチンコ遊技機では、大当り遊技の終了後に、遊技者に有利な確変状態が付与される場合がある。確変状態は、確定停止表示された大当り図柄（特図）の種類が予め定めた確変図柄であることを条件として付与される。この確変状態では、大当り遊技終了後に、大当りの当選確率が低確率状態から高確率状態に変動する。本実施形態では、大当り遊技終了後に確変状態が付与される大当りが確変大当りであり、確変状態が付与されない大当りが非確変大当りとなる。
【００３１】
また、確変状態は、確変大当りとなった場合、大当り遊技終了後、大当り抽選の当選時における遊技状態を問わず、次回の大当り遊技が付与されるまでの間、（「次回まで」と示す）付与される。このように、確変状態は、大当り抽選の抽選確率が高確率に変動して大当りが生起され易くなるため、遊技者にとって有利であり、遊技者は、確変大当りになることを期待しつつ遊技を行っている。その一方で、非確変大当りとなった場合、大当り遊技終了後、大当り抽選の当選時における遊技状態を問わず、確変状態が付与されないようになっている。
【００３２】
また、大当り遊技の終了後には、変動短縮状態（以下、「変短状態」と示す）が付与される場合がある。この変短状態では、変短状態が付与されていない非変短状態と比較して、変動ゲームの変動時間が短縮される場合があり（短縮され得る）、特に、はずれ表示結果が確定停止表示される変動ゲームの変動時間が短縮される場合がある。また、変短状態では、開閉羽根１６を開動作させるか否かの抽選結果を導出する普図ゲームの変動時間が、非変短状態と比較して短縮される。また、変短状態では、普図ゲームの普通当りの当選確率が低確率状態から高確率状態に変動する。また、変短状態では、普通当り抽選に当選した際、非変短状態とは異なる動作パターンで開閉羽根１６が開閉動作するようになっている。なお、本実施形態において、非変短状態で普通当り抽選に当選する場合には、開閉羽根１６が短開放する一方で、変短状態で普通当り抽選に当選する場合には、開閉羽根１６が長開放する。つまり、開閉羽根１６は、変短状態では、非変短状態と比較して、１回の普通当りに対応する合計開放時間が長く、遊技者にとって有利に動作するように設定されている。このため、変短状態は、開閉羽根１６が開放状態に動作し易い入球率向上状態であり、変動ゲームが実行され易くなる傾向がある。
【００３３】
また、変短状態が付与される場合には、大当りの種類に応じて、次回の大当り遊技が付与されるまで（「次回まで」と示す）、又は予め定められた回数の変動ゲームが終了するまでを上限回数として、変短状態が付与されるようになっている。
【００３４】
なお、普通当りとなった場合に開閉羽根１６が開放されるが、閉鎖する前であっても、入賞上限個数の遊技球が入賞したときには、開閉羽根１６は閉鎖するようになっている。また、変短状態は、大当りの種類、当選時における遊技状態に応じて、予め定めた回数の変動ゲームが行われるまでの間、又は次回の大当り遊技が付与されるまでの間、付与される場合がある。
【００３５】
また、このように変短状態が付与されている場合には、開閉羽根１６が開動作し易くなる。このため、第１始動入賞口１４に遊技球が入賞し難いが、遊技球が遊技盤１０の右側から転動するように遊技球を発射させる（所謂、「右打ち」）ほうが遊技者にとって有利な遊技状態である。その一方で、変短状態が付与されていない場合には、開閉羽根１６が開動作し難くなる。このため、第１始動入賞口１４に遊技球が入賞するように、遊技球が遊技盤１０の左側から転動するように遊技球を発射させる（所謂、「左打ち」）ほうが遊技者にとって有利な遊技状態である。
【００３６】
なお、大当り遊技中は、大入賞口１８に入賞し易くするために、遊技球が遊技盤１０の右側から転動するように遊技球を発射させる（所謂、「右打ち」）ほうが遊技者にとって有利である。
【００３７】
なお、本実施形態におけるパチンコ遊技機での仕様は以下の通りである。飾図としては［１］〜［７］の７種類の数字が採用されている。また、大当り図柄としては［１１１］［２２２］［３３３］［４４４］［５５５］［６６６］［７７７］が、確変示唆図柄としては、［１２３］［２３４］［３４５］［４５６］［５６７］［６７１］［７１２］がそれぞれ採用されている。また、大当りの当選確率としては、低確率状態で１６５／６５５３６、高確率状態で１６５０／６５５３６がそれぞれ規定されている。また、小当りの当選確率としては、２８０／６５５３６が規定されている。普通当りの当選確率としては、低確率状態で１６３８４／６５５３６、高確率状態で６５５３５／６５５３６がそれぞれ規定されている。また、遊技球の賞球数としては、第１始動入賞口１４及び第２始動入賞口１５に対して３個が、大入賞口１８に対して１５個がそれぞれ規定されている。また、開閉羽根１６の短開放としては、開閉羽根１６が１回開放し、開放してから２００ｍｓ経過するまで開放状態を維持する態様が、開閉羽根１６の長開放としては、開閉羽根１６が１回開放し、開放してから５４９６ｍｓ経過するまで開放状態を維持する態様が、それぞれ規定されている。また、開閉羽根１６の閉鎖条件である入賞上限個数としては、１０球が規定されている。また、各ラウンド遊技では、大入賞口１８の開放回数として「１回」が、入賞上限個数として「８球」が、それぞれ設定されている。また、変短状態が付与される予め定められた予め定めた回数としては、５０回が相当する。また、特別図柄表示装置１２には、１１１種類の特図があり、１００種類の大当り図柄と、１０種類の小当り図柄と、１種類のはずれ図柄とに分類される。
【００３８】
次に、本実施形態のパチンコ遊技機に規定する大当り遊技及び小当り遊技について図２を参照して以下に説明する。
本実施形態のパチンコ遊技機では、大当り抽選に当選した場合、図２に示す５種類の大当りの中から１つの大当りが決定され、その決定された大当りに対応する大当り遊技が付与されるようになっている。そして、５種類の大当りのうち、何れの大当りが付与されるかは、大当り抽選に当選した場合に決定する特図（大当り図柄）に応じて決定されるようになっている。本実施形態において特別図柄表示装置１２に確定停止表示される１００種類の特図の大当り図柄は、図２に示すように、大当りの種類毎に分類される。
【００３９】
そして、特別図柄表示装置１２に確定停止表示される大当り図柄のうち、図柄Ａには５０種類の大当り図柄が振分けられている。また、図柄Ｂには９種類の大当り図柄が、図柄Ｃには１１種類の大当り図柄が、図柄Ｄには１０種類の大当り図柄が、図柄Ｅには２０種類の大当り図柄が、それぞれ振分けられている。また、図柄Ｆには、１０種類の小当り図柄が振分けられている。
【００４０】
図柄Ａに分類される大当り図柄が特別図柄表示装置１２に確定停止表示されたときに付与される大当り遊技は、規定ラウンド数が「８回」に設定された大当り遊技であり、以下、「８Ｒ大当り遊技」と示す。また、８Ｒ大当り遊技が付与される大当りは、大当り遊技の終了後に確変状態が付与されるため、「８Ｒ確変大当り」と示す。
【００４１】
図柄Ｂに分類される大当り図柄が特別図柄表示装置１２に確定停止表示されたときに付与される大当り遊技は、規定ラウンド数が「８回」に設定された大当り遊技である。また、５〜８回目のラウンド遊技における大入賞口１８の最大開放時間が８Ｒ大当り遊技と同じであるが、１〜４回目のラウンド遊技における大入賞口１８の最大開放時間が８Ｒ大当り遊技よりも短く、ほとんど出玉が得られない。このため、実質的に出玉を得られる規定ラウンド数が「４回」となるので、この大当り遊技は、「第１の４Ｒ大当り遊技」と示す。また、第１の４Ｒ大当り遊技が付与されるときに当選する大当りは、大当り遊技の終了後に確変状態が付与されるため、「第１の４Ｒ確変大当り」と示す。
【００４２】
その一方で、図柄Ｃに分類される大当り図柄が特別図柄表示装置１２に確定停止表示されたときに付与される大当り遊技は、規定ラウンド数が「８回」に設定された大当り遊技である。また、１〜４回目のラウンド遊技における大入賞口１８の最大開放時間が８Ｒ大当り遊技と同じであるが、５〜８回目のラウンド遊技における大入賞口１８の最大開放時間が８Ｒ大当り遊技よりも短く、ほとんど出玉が得られない。このため、実質的に出玉を得られる規定ラウンド数が「４回」となるので、この大当り遊技は、「第２の４Ｒ大当り遊技」と示す。また、第１の４Ｒ大当り遊技と第２の４Ｒ大当り遊技との両方を「４Ｒ大当り遊技」と示す場合もある。また、第２の４Ｒ大当り遊技が付与されるときに当選する大当りは、大当り遊技の終了後に確変状態が付与されるため、「第２の４Ｒ確変大当り」と示す。また、第１の４Ｒ確変大当りと第２の４Ｒ確変大当りとの両方を「４Ｒ確変大当り」と示す場合もある。
【００４３】
また、図柄Ｄ，Ｅに分類される大当り図柄が特別図柄表示装置１２に確定停止表示されたときに付与される大当り遊技は、規定ラウンド数が「４回」に設定された大当り遊技であるが、８Ｒ大当り遊技よりもラウンド遊技における大入賞口１８の最大開放時間が短く、ほとんど出玉が得られないため、以下、「短縮大当り遊技」と示す。また、図柄Ｄに分類される大当り図柄が特別図柄表示装置１２に確定停止表示されたときに当選する大当りは、大当り遊技の終了後に確変状態が付与されるため、「短縮確変大当り」と示す。その一方で、図柄Ｅに分類される大当り図柄が特別図柄表示装置１２に確定停止表示されたときに当選する大当りは、大当り遊技の終了後に確変状態が付与されないため、「短縮非確変大当り」と示す。また、短縮確変大当りと短縮非確変大当りとの両方を「短縮大当り」と示す場合もある。
【００４４】
８Ｒ大当り遊技及び第２の４Ｒ大当り遊技では、オープニング時間として、大当り抽選の当選時における遊技状態に拘わらず、「１０（秒）」が設定されている。その一方で、第１の４Ｒ大当り遊技及び短縮大当り遊技では、オープニング時間として、大当り抽選の当選時における遊技状態に拘わらず、「０．００４（秒）」が設定されている。
【００４５】
また、８Ｒ大当り遊技では、各ラウンド遊技の最大時間として「２５（秒）」が、各ラウンド間のインターバル時間（ラウンド間インターバル）として「２（秒）」がそれぞれ設定されている。短縮大当り遊技では、各ラウンド遊技の最大時間として「０.００４（秒）」が、各ラウンド間のインターバル時間として「１．５（秒）」がそれぞれ設定されている。また、第１の４Ｒ大当り遊技では、１〜４回目のラウンド遊技の最大時間として「０．００４（秒）」が、それらのラウンド間のインターバル時間として「１．５（秒）」が、５〜８回目のラウンド遊技の最大時間として「２５（秒）」が、それらのラウンド間のインターバル時間として「２（秒）」がそれぞれ設定されている。その一方で、第２の４Ｒ大当り遊技では、１〜４回目のラウンド遊技の最大時間として「２５（秒）」が、それらのラウンド間のインターバル時間として「２（秒）」が、５〜８回目のラウンド遊技の最大時間として「０．００４（秒）」が、それらのラウンド間のインターバル時間として「１．５（秒）」がそれぞれ設定されている。なお、本実施形態において、大入賞口１８が２５秒を上限として開放され、２秒閉鎖される開放態様を長開放態様と示し、大入賞口１８が０．００４秒を上限として開放され、１．５秒閉鎖される開放態様を短開放態様とそれぞれ示す場合がある。また、これら大入賞口１８の開放態様としては、大入賞口１８が開放される時間と、その後において大入賞口１８が閉鎖するインターバル時間とが含まれている。
【００４６】
また、８Ｒ大当り遊技及び第１の４Ｒ大当り遊技では、エンディング時間として、大当り抽選の当選時における遊技状態に拘わらず、「１５（秒）」が設定されている。その一方で、第２の４Ｒ大当り遊技及び短縮大当り遊技では、エンディング時間として、大当り抽選の当選時における遊技状態に拘わらず、「０．００４（秒）」が設定されている。
【００４７】
また、図２には図示しないが、これらの大当り遊技では、各ラウンド遊技における大入賞口１８の開放回数として「１回」が設定されている。また、１回のラウンド遊技の入賞上限個数として「８球」が設定されている。
【００４８】
また、８Ｒ確変大当り、４Ｒ確変大当り、又は短縮確変大当りに当選した場合、大当り遊技の終了後には、大当り抽選の当選時における遊技状態に拘わらず、次回まで確変状態が付与されるようになっている。その一方で、短縮非確変大当りに当選した場合、大当り遊技の終了後には、大当り抽選の当選時における遊技状態を問わず、確変状態が付与されないようになっている。
【００４９】
また、大当り遊技の終了後には、変短状態が付与される場合がある。特に、変短状態が付与される場合には、大当りの種類と、大当り抽選の当選時における遊技状態（確変状態、変短状態であるか否か）とに応じて、次回まで又は予め定められた回数の変動ゲームが終了するまでを上限回数として、変短状態が付与されるようになっている。なお、以下、大当り遊技の終了後に変短状態を継続する上限回数を「変短回数」と示す場合があり、変短状態が付与されない場合は、変短状態を継続する上限回数が「０回」となる（図２でも「０回」と示す）。
【００５０】
具体的には、８Ｒ確変大当り、又は４Ｒ確変大当りに当選した場合、大当りに当選したときの遊技状態に拘わらず、大当り遊技の終了後に、次回まで変短状態が付与されるようになっている。その一方で、非変短状態で短縮確変大当り、又は短縮非確変大当りに当選した場合、大当り遊技の終了後に、変短状態が付与されないようになっている。また、変短状態で短縮確変大当りに当選した場合、大当り遊技の終了後に、次回まで変短状態が付与されるようになっている。その一方で、変短状態で短縮非確変大当りに当選した場合、大当り遊技の終了後に、予め定められた「５０回」の変動ゲームが終了するまでを上限として、変短状態が付与される。
【００５１】
また、小当り遊技では、小当り抽選の当選時における遊技状態に拘わらず、オープニング時間として「０．００４（秒）」が、エンディング時間として「０．００４（秒）」がそれぞれ設定されている。また、入賞上限個数（カウント数）として「８球」が、大入賞口１８の開放回数として「４回」が、１回の開放時間として「０．００４（秒）」が、それら開放の後にはインターバル時間として「１．５（秒）」が、それぞれ設定されている。これにより、小当り遊技では、オープニング時間、大入賞口１８の開放時間、開放回数、インターバル時間、エンディング時間が、短縮大当り遊技と同じとなる。このため、オープニング時間、大入賞口１８の開放時間、開放回数、インターバル時間、エンディング時間からは、短縮大当り遊技が付与されているか、小当り遊技が付与されているかが特定困難である。また、短縮大当り遊技及び小当り遊技では、第１の４Ｒ大当り遊技が開始されてから５回目のラウンド遊技が開始される直前まで、オープニング時間、大入賞口１８の開放時間、開放回数、インターバル時間が同じであり、これらからは、第１の４Ｒ大当り遊技、短縮大当り遊技、及び小当り遊技の何れが付与されているかが特定困難である。
【００５２】
また、小当り遊技の終了後には、小当り抽選の当選時における遊技状態が継続されるようになっている。すなわち、小当り遊技の終了後には、小当り抽選の当選時に確変状態が付与されていれば確変状態を継続させる一方、確変状態が付与されていなければ非確変状態を継続させる。また、小当り遊技の終了後には、小当り抽選の当選時に変短状態が付与されていれば変短状態を継続させる一方、変短状態が付与されていなければ非変短状態を継続させる。
【００５３】
なお、本実施形態において、大当り遊技の開始後又は終了前において、大入賞口１８が短開放態様で開閉制御される大当り遊技が特定の大当り遊技に相当する。また、本実施形態において、大入賞口１８の開閉制御は、ラウンド遊技時間とインターバル時間とを含む制御である。具体的には、４Ｒ大当り遊技、短縮大当り遊技が特定の大当り遊技に相当する。特に、第１の４Ｒ大当り遊技では、その大当り遊技の開始後に短開放態様での大入賞口１８の開閉制御が連続して行われ、その後に、長開放態様で大入賞口１８の開閉制御が連続して行われる特定の大当り遊技である。また、第２の４Ｒ大当り遊技では、長開放態様で大入賞口１８の開閉制御が連続して行われ、その後に、大当り遊技の終了前まで短開放態様での大入賞口１８の開閉制御が連続して行われる特定の大当り遊技である。また、短縮大当り遊技は、長開放態様で大入賞口１８の開閉制御が行われることなく、大当り遊技の開始後から終了前まで短開放態様での大入賞口１８の開閉制御が連続して行われる特定の大当り遊技である。
【００５４】
このように、本実施形態において、大入賞口１８の１回の開放時間には、長開放態様と短開放態様とが含まれている。大入賞口１８の１回の開放時間は、長開放態様となる場合、遊技球が連続発射される際に遊技球が発射される所定間隔（例えば、約０．６秒）よりも長い時間に設定されており、大入賞口１８に遊技球を入球させるのに十分な時間である。このような大入賞口１８の開放態様が利益獲得可能態様に相当する。その一方で、大入賞口１８の１回の開放時間は、短開放態様となる場合、遊技球が連続発射される際に遊技球が発射される所定間隔よりも短い時間に設定されており、大入賞口１８に遊技球を入球させるのに十分な時間ではない。このような大入賞口１８の開放態様が利益獲得困難態様に相当する。
【００５５】
次に、パチンコ遊技機の制御構成について図３を参照して説明する。
本実施形態のパチンコ遊技機の機裏側には、パチンコ遊技機全体を制御する主制御基板３０が配設されている。主制御手段としての主制御基板３０は、パチンコ遊技機全体を制御するための各種処理を実行するとともに、該処理結果に応じた各種の制御信号（制御コマンド）を出力する。また、機裏側には、演出制御基板３１が配設されている。演出制御手段（ゲーム制御手段及び当り遊技演出制御手段）としての演出制御基板３１は、主制御基板３０が出力した制御信号（制御コマンド）に基づいて、演出表示装置１１の表示態様（図柄、各種背景画像、文字、キャラクタなどの表示画像など）を制御する。
【００５６】
ここで、主制御基板３０及び演出制御基板３１の具体的構成について以下に説明する。
まず、主制御基板３０について図３を参照して以下に説明する。
主制御基板３０には、制御動作を所定の手順で実行する主制御用ＣＰＵ３０ａと、主制御用ＣＰＵ３０ａのメイン制御プログラムを格納する主制御用ＲＯＭ３０ｂと、必要なデータの書き込み及び読み出しができる主制御用ＲＡＭ３０ｃが設けられている。そして、主制御用ＣＰＵ３０ａには、各種スイッチＳＷ１〜ＳＷ４が遊技球を検知して出力する検知信号を入力可能に接続されている。また、主制御用ＣＰＵ３０ａには、特別図柄表示装置１２、特別図柄保留表示装置１３、普通図柄表示装置２０、普通電動役物ソレノイドＳＯＬ１、及び大入賞口ソレノイドＳＯＬ２が接続されている。
【００５７】
また、主制御用ＣＰＵ３０ａは、当り判定用乱数、特図振分乱数、及びリーチ判定用乱数の値などの各種乱数の値を所定の周期毎に更新する乱数更新処理（乱数生成処理）を実行する。当り判定用乱数は、大当り抽選（大当り判定）及び小当り抽選（小当り判定）で用いる乱数である。特図振分乱数は、大当り図柄となる特図の決定で用いる乱数である。リーチ判定用乱数は、大当り抽選で大当りに当選しなかった場合、すなわちはずれの場合にリーチを形成するか否かのリーチ抽選（リーチ判定）で用いる乱数である。また、主制御用ＲＡＭ３０ｃには、パチンコ遊技機の動作中に適宜書き換えられる各種情報（乱数値、タイマ値、フラグなど）が記憶（設定）される。例えば、主制御用ＲＡＭ３０ｃには、普図ゲームにおいて普通当りとなるか否かを判定する場合に用いる普通当り判定用乱数が記憶されている。
【００５８】
主制御用ＲＯＭ３０ｂには、メイン制御プログラム、各種の判定値（大当り判定値、及びリーチ判定値など）が記憶されている。大当り判定値は、大当り抽選で用いる判定値であり、当り判定用乱数の取り得る数値の中から定められている。また、リーチ判定値は、はずれを決定する場合にリーチ（リーチ状態）を形成するか否かの内部抽選（リーチ判定）で用いる判定値であり、リーチ判定用乱数（リーチ実行決定用乱数）の取り得る数値の中から定められている。
【００５９】
また、主制御用ＲＯＭ３０ｂには、複数種類の変動パターンが記憶されている。変動パターンは、変動ゲームが開始してから変動ゲームが終了するまでの間の演出（遊技演出）のベースとなるパターンであって、変動ゲームの変動内容（演出内容）及び変動時間（演出時間）を特定（指定）し得る。本実施形態において、複数種類の変動パターンは、大当り変動用の変動パターン、確変示唆変動用の変動パターン、はずれリーチ変動用の変動パターン、及びはずれ変動用の変動パターンに分類できる。大当り変動は、８Ｒ大当り遊技、第２の４Ｒ大当り遊技が付与されると決定された場合に行われる変動であり、演出表示装置１１では、リーチ演出を経て、変動ゲームが最終的に大当り図柄を確定停止表示させるように展開される演出が実行される。確変示唆変動は、第１の４Ｒ大当り遊技、短縮大当り遊技又は小当り遊技が付与されると決定された場合に行われる変動であり、演出表示装置１１では、リーチ演出を経て、変動ゲームが最終的に大当り図柄又は小当り図柄を確定停止表示させるように展開される演出が実行される。はずれリーチ変動は、大当り遊技及び小当り遊技が付与されないと決定された場合に行われる変動であり、演出表示装置１１では、リーチ演出を経て、変動ゲームが最終的にはずれ図柄を確定停止表示させるように展開される演出が実行される。はずれ変動は、大当り遊技及び小当り遊技が付与されないと決定された場合に行われる変動であり、演出表示装置１１では、リーチ演出を経ないで、変動ゲームが最終的にはずれ図柄を確定停止表示させるように展開される演出が実行される。
【００６０】
なお、本実施形態では、当選時の遊技状態が同じであることを条件として、８Ｒ大当り遊技、又は第２の４Ｒ大当り遊技の付与が決定された場合に同じ大当り変動用の変動パターンを決定する。よって、変動ゲームの演出内容から、８Ｒ大当り遊技、及び第２の４Ｒ大当り遊技の何れが付与されたかを特定することができないようになっている。また、同じように、第１の４Ｒ大当り遊技、短縮大当り遊技、又は小当り遊技の付与が決定された場合に同じ確変示唆変動用の変動パターンを決定する。よって、変動ゲームの演出内容から、第１の４Ｒ大当り遊技、短縮大当り遊技、及び小当り遊技の何れが付与されたかを特定することができないようになっている。
【００６１】
次に、演出制御基板３１について図３を参照して以下に説明する。
演出制御基板３１には、演出制御動作を所定の手順で実行する演出制御用ＣＰＵ３１ａと、演出制御用ＣＰＵ３１ａの演出制御プログラムを格納する演出制御用ＲＯＭ３１ｂと、必要なデータの書き込み及び読み出しができる演出制御用ＲＡＭ３１ｃが設けられている。演出制御用ＲＯＭ３１ｂには、各種の画像データ（図柄、各種背景画像、文字、キャラクタなどの画像データ）が記憶されている。演出制御用ＲＡＭ３１ｃには、パチンコ遊技機の動作中に適宜書き換えられる各種情報（乱数値、タイマ値、フラグなど）が記憶（設定）される。また、演出制御用ＣＰＵ３１ａには、演出表示装置１１が接続されている。演出制御用ＣＰＵ３１ａは、各種制御コマンドを入力すると、演出制御プログラムに基づいて各種制御を実行する。このように、演出制御基板３１は、当り抽選の抽選結果に基づいて、飾図や背景画像の表示等の各種の演出（ゲーム用演出）を伴わせて変動ゲームを行わせるように制御することとなる。
【００６２】
次に、主制御基板３０の主制御用ＣＰＵ３０ａが、メイン制御プログラムに基づいて実行する特別図柄入力処理、特別図柄開始処理などの各種処理について以下に説明する。本実施形態において主制御用ＣＰＵ３０ａは、所定の制御周期（本実施形態では、４ｍｓ）毎に各種処理を実行する。なお、本実施形態では、以下に説明する各種処理を実行する主制御用ＣＰＵ３０ａが開閉制御手段として機能する。
【００６３】
まず、特別図柄入力処理について以下に説明する。
最初に、主制御用ＣＰＵ３０ａは、第１始動口スイッチＳＷ１又は第２始動口スイッチＳＷ２から検知信号を入力しているか否かに基づいて、第１始動入賞口１４又は第２始動入賞口１５に遊技球が入賞したか否かを判定する。この判定結果が肯定の場合、主制御用ＣＰＵ３０ａは、主制御用ＲＡＭ３０ｃに記憶されている保留記憶数が上限数の「４」未満であるか否かを判定する。保留記憶数が「４」未満である場合、主制御用ＣＰＵ３０ａは、保留記憶数を「１」加算する。保留記憶数を更新（「１」加算）した主制御用ＣＰＵ３０ａは、更新後（加算後）の保留記憶数を表示するように特別図柄保留表示装置１３の表示内容を制御する。次に、主制御用ＣＰＵ３０ａは、各種乱数の値（本実施形態では当り判定用乱数の値など）を主制御用ＲＡＭ３０ｃから読み出して取得し、該値を保留記憶数に対応する主制御用ＲＡＭ３０ｃの所定の記憶領域に設定する。その後、主制御用ＣＰＵ３０ａは、特別図柄入力処理を終了する。
【００６４】
次に、特別図柄開始処理について以下に説明する。
最初に、主制御用ＣＰＵ３０ａは、変動ゲームの実行中、又は当り遊技中か否かの実行条件を判定する。この判定結果が肯定（変動ゲーム中、又は当り遊技中である）の場合、主制御用ＣＰＵ３０ａは、特別図柄開始処理を終了する。
【００６５】
その一方で、この判定結果が否定（変動ゲーム中ではなく、かつ当り遊技中ではない）の場合、主制御用ＣＰＵ３０ａは、主制御用ＲＡＭ３０ｃに記憶されている保留記憶数が「０」よりも大きいか否かを判定する保留判定処理を実行する。保留記憶数が「１」以上の場合、保留記憶数を「１」減算し、更新後（減算後）の保留記憶数を表示するように特別図柄保留表示装置１３の表示内容を制御する。そして、主制御用ＣＰＵ３０ａは、大当り判定処理を実行する。
【００６６】
大当り判定処理において、主制御用ＣＰＵ３０ａは、保留記憶数に対応付けられて主制御用ＲＡＭ３０ｃの所定の記憶領域に記憶されている当り判定用乱数の値を読み出す。続いて、主制御用ＣＰＵ３０ａは、保留記憶数に対応付けられた当り判定用乱数の値と大当り判定値を比較し、両値が一致するか否かの大当り判定をする。なお、本実施形態において、主制御用ＣＰＵ３０ａは、変動ゲームの大当りの当選確率を、非確変状態では低確率状態で、確変状態では高確率状態で大当り判定を行うこととなる。
【００６７】
この大当り判定の判定結果が肯定の場合、主制御用ＣＰＵ３０ａは、大当りとなる変動ゲームであることを示す大当りフラグに「１」を設定し、大当りとなる変動ゲームを実行させるための大当り時変動処理を実行する。大当り時変動処理において主制御用ＣＰＵ３０ａは、保留記憶数に対応付けられた特図振分乱数の値を主制御用ＲＡＭ３０ｃから読み出し、該特図振分乱数の値に基づいて、特別図柄表示装置１２に確定停止表示させる特図（最終停止図柄）として大当り図柄を決定し、大当り図柄に対応する大当りの種類を決定することとなる。続いて、主制御用ＣＰＵ３０ａは、決定した大当り図柄から大当り遊技の種類を特定し、確変フラグ及び作動フラグから値を読み出し、該値に基づいて、その大当り遊技の種類に対応する変動パターンを決定する。具体的には、主制御用ＣＰＵ３０ａは、大当り遊技の種類が８Ｒ大当り遊技、又は第２の４Ｒ大当り遊技であると特定した場合、大当り変動用の変動パターンの中から何れかを選択し、決定する。その一方で、主制御用ＣＰＵ３０ａは、第１の４Ｒ大当り遊技、又は短縮大当り遊技であると特定した場合、確変示唆変動用の変動パターンの中から何れかを選択し、決定する。その後、主制御用ＣＰＵ３０ａは、特別図柄開始処理を終了する。
【００６８】
その一方で、上記大当り判定の判定結果が否定の場合、主制御用ＣＰＵ３０ａは、当り判定用乱数の値と小当り判定値を比較し、両値が一致するか否かの小当り判定をする。なお、本実施形態において、主制御用ＣＰＵ３０ａは、変動ゲームの小当り確率を、確変状態であるか否かに拘わらず、所定の確率で小当り判定を行う。
【００６９】
この小当り判定の判定結果が肯定の場合、主制御用ＣＰＵ３０ａは、小当りとなる変動ゲームであることを示す小当りフラグに「１」を設定し、確変フラグ及び作動フラグから値を読み出し、該値に基づいて、小当りとなる変動ゲームを実行させるための小当り時変動処理を実行する。小当り時変動処理において主制御用ＣＰＵ３０ａは、保留記憶数に対応付けられた特図振分乱数の値を主制御用ＲＡＭ３０ｃから読み出し、該特図振分乱数の値に基づいて、特別図柄表示装置１２に確定停止表示させる特図として小当り図柄を決定し、小当り図柄に対応する小当りの種類を決定することとなる。続いて、主制御用ＣＰＵ３０ａは、確変示唆変動用の変動パターンの中から何れかを選択し、決定する。その後、主制御用ＣＰＵ３０ａは、特別図柄開始処理を終了する。
【００７０】
その一方で、上記小当り判定の判定結果が否定の場合、主制御用ＣＰＵ３０ａは、当り判定用乱数の値が大当り又は小当りとなる値ではないことからはずれを特定する。このため、主制御用ＣＰＵ３０ａは、保留記憶数に対応付けられたリーチ判定用乱数の値を読み出すとともに、リーチ判定用乱数の値とリーチ判定値を比較し、両値が一致するか否かのリーチ判定を行う。なお、リーチ判定値としては、主に、確変状態や変短状態が付与されているか否か、減算後の保留記憶数等によって異なる値が定められており、リーチ演出を実行させるか否かを決定する確率が異なる場合がある。
【００７１】
このリーチ判定の判定結果が肯定の場合、主制御用ＣＰＵ３０ａは、リーチ判定に当選したことから、はずれリーチ変動となる変動ゲームを実行させるためのリーチ時変動処理を実行する。リーチ時変動処理において主制御用ＣＰＵ３０ａは、特別図柄表示装置１２に確定停止表示させる特図としてはずれ図柄を決定するとともに、確変フラグ及び作動フラグから値を読み出し、該値に基づいて、はずれリーチ変動用の変動パターンの中から何れかを選択し、決定する。その後、主制御用ＣＰＵ３０ａは、特別図柄開始処理を終了する。
【００７２】
その一方で、リーチ判定の判定結果が否定の場合、主制御用ＣＰＵ３０ａは、リーチ判定に当選しなかったことから、はずれ変動となる変動ゲームを実行させるためのはずれ時変動処理を実行する。はずれ時変動処理において主制御用ＣＰＵ３０ａは、特別図柄表示装置１２に確定停止表示させる特図としてはずれ図柄を決定する。続いて、主制御用ＣＰＵ３０ａは、確変フラグ及び作動フラグから値を読み出し、該値に基づいて、はずれ変動用の変動パターンの中から何れかを選択し、決定する。その後、主制御用ＣＰＵ３０ａは、特別図柄開始処理を終了する。
【００７３】
その後、特別図柄開始処理とは別の処理において、主制御用ＣＰＵ３０ａは、特別図柄開始処理において決定した決定事項にしたがって生成した制御コマンドを所定のタイミングで演出制御基板３１（演出制御用ＣＰＵ３１ａ）に出力する。具体的に、主制御用ＣＰＵ３０ａは、変動パターンを指示するとともに変動ゲームの開始を指示する変動パターン指定コマンドを変動ゲームの開始に際して最初に出力する。また、主制御用ＣＰＵ３０ａは、特図を指定する特図用の特図指定コマンドを変動パターン指定コマンドの出力後、次に出力する。また、主制御用ＣＰＵ３０ａは、特図の確定停止表示に際して全図柄停止コマンドを演出制御基板３１に出力する。
【００７４】
このように、主制御用ＣＰＵ３０ａは、大当り遊技を決定した場合、決定した変動パターンに基づく変動ゲームの終了後、最終停止図柄に基づいて特定された種類の大当り遊技の制御を開始し、演出制御基板３１の演出制御用ＣＰＵ３１ａに対し、所定の制御コマンドを所定のタイミングで出力する。主制御用ＣＰＵ３０ａは、変動ゲームが終了すると、オープニングコマンドを出力する。また、主制御用ＣＰＵ３０ａは、ラウンドの開始毎にラウンドコマンドを出力する。また、主制御用ＣＰＵ３０ａは、最後のラウンドのラウンド遊技が終了すると、インターバル時間の経過後にエンディングコマンドを出力する。そして、主制御用ＣＰＵ３０ａは、エンディング時間の経過後、大当りフラグに「０」を設定し（クリアし）、大当り遊技を終了させる。なお、主制御用ＣＰＵ３０ａは、大当りに当選した場合、大入賞口１８を開放させるときに、開放信号を出力し、大入賞口１８を閉鎖させるときに、閉鎖信号を出力する。
【００７５】
また、主制御用ＣＰＵ３０ａは、小当り遊技を決定した場合、大当り遊技を決定した場合におけるオープニングコマンド、ラウンドコマンド、エンディングコマンドと同じようにコマンドを出力する。そして、主制御用ＣＰＵ３０ａは、エンディング時間の経過後、小当りフラグに「０」を設定し（クリアし）、小当り遊技を終了させる。なお、主制御用ＣＰＵ３０ａは、小当りに当選した場合、大入賞口１８を開放させるときに、開放信号を出力し、大入賞口１８を閉鎖させるときに、閉鎖信号を出力する。これによって、主制御用ＣＰＵ３０ａは、当り抽選の抽選結果に基づく変動ゲームでの導出結果の導出後、大入賞口１８を開閉させる開閉制御を行うこととなる。
【００７６】
また、主制御用ＣＰＵ３０ａは、確変フラグ、作動フラグ、又は作動回数の制御により、確変状態、変短状態に関する遊技状態の制御を行うこととなる。
具体的には、主制御用ＣＰＵ３０ａは、大当り遊技の種類に拘わらず、大当り遊技の開始時に、確変フラグ、作動フラグ、及び作動回数をクリアする（「０」を設定する）。この作動回数は、変短状態が付与された回数を計数するためのカウンタである。
【００７７】
また、主制御用ＣＰＵ３０ａは、大当り遊技の終了後に、確変状態を付与する場合には、確変フラグに「１」を設定する一方、確変状態を付与しない場合には、確変フラグに「０」を設定する。
【００７８】
また、主制御用ＣＰＵ３０ａは、大当り遊技の終了後に、変短状態を付与する場合には、変短状態を付与することを示す作動フラグに「１」を設定する一方、変短状態を付与しない場合には、作動フラグに「０」を設定する。そして、主制御用ＣＰＵ３０ａは、作動フラグに対応する変短指定コマンドを演出制御基板３１に出力する。変短指定コマンドは、変短状態が付与されているか否かを示すコマンドである。
【００７９】
また、主制御用ＣＰＵ３０ａは、予め定めた回数（本実施形態では５０回）を上限回数として変短状態が付与される場合には、その回数を示す値を作動回数として主制御用ＲＡＭ３０ｃの所定の記憶領域に設定する。また、主制御用ＣＰＵ３０ａは、変動ゲーム毎に（変動ゲームの終了時に）作動回数を「１」減算し、値が「０」となると、作動フラグをクリアし（「０」を設定する）、変短終了コマンドを演出制御基板３１に出力する。この変短終了コマンドは、変短状態が終了した旨を示すコマンドである。また、主制御用ＣＰＵ３０ａは、次回の大当り遊技が生起するまでの間、変短状態が付与される場合には、その旨を示すデータを主制御用ＲＡＭ３０ｃに設定する。
【００８０】
次に、普図ゲームに関する普通図柄入力処理について以下に説明する。
普通図柄入力処理において、主制御用ＣＰＵ３０ａは、遊技球が作動ゲート１９を通過したと判定した場合、主制御用ＲＡＭ３０ｃに記憶されている普図保留記憶数が上限数の「４」未満であるか否かを判定する。そして、その判定結果が肯定（普図保留記憶数＜「４」）の場合、主制御用ＣＰＵ３０ａは、普図保留記憶数を「１」加算し、普図保留記憶数を書き換える。続いて、主制御用ＣＰＵ３０ａは、普通当り判定用乱数の値を主制御用ＲＡＭ３０ｃから読み出して取得し、該値を普図保留記憶数に対応付けられた主制御用ＲＡＭ３０ｃの所定の記憶領域に設定し、普通図柄入力処理を終了する。
【００８１】
次に、主制御用ＣＰＵ３０ａは、以下のような処理を所定の制御周期（本実施形態では、４ｍｓ）毎に実行する。主制御用ＣＰＵ３０ａは、まず、普図が変動表示中又は普通当り遊技中ではない場合において、読み出した普図保留記憶数が「０」よりも大きいときには、普図保留記憶数の数を「１」減算し、当該普図保留記憶数に対応付けられて主制御用ＲＡＭ３０ｃの所定の記憶領域に記憶されている普通当り判定用乱数の値を取得する。そして、主制御用ＣＰＵ３０ａは、取得した普通当り判定用乱数の値が主制御用ＲＯＭ３０ｂに記憶されている普通当り判定値と一致するか否かを判定して普通当り判定を行い、判定結果に対応する普図を、普通図柄表示装置２０にて確定停止表示される最終停止図柄として決定する。そして、主制御用ＣＰＵ３０ａは、普図の変動表示を開始させるように普通図柄表示装置２０の表示内容を制御するなど、普図ゲームに関する各種処理を実行する。
【００８２】
そして、主制御用ＣＰＵ３０ａは、普通当りを決定した場合、普図ゲームの終了後、普通当り遊技に関する制御を実行する。また、主制御用ＣＰＵ３０ａは、普図ゲームが開始したときに変短状態が付与されているか否かによって異なる開放態様にて、開閉羽根１６を開放させるよう普通電動役物ソレノイドＳＯＬ１を制御する。
【００８３】
なお、本実施形態において、主制御用ＣＰＵ３０ａは、変短状態が付与されているか否かに応じた普図ゲームの変動パターンを選択し、決定する。これにより、主制御用ＣＰＵ３０ａは、変短状態では、非変短状態よりも普図ゲームの変動時間を短くさせるよう制御するとともに、１回の普通当りに対応する合計開放時間を長く開放させるよう制御する。
【００８４】
次に、各種演出を含む変動ゲームを実行させるために演出制御用ＣＰＵ３１ａが実行する制御内容について以下に説明する。
主制御用ＣＰＵ３０ａから所定の制御コマンドを所定のタイミングで入力すると、演出制御用ＣＰＵ３１ａは、演出制御プログラムに基づいて、入力した制御コマンドに応じた制御を行う。具体的には、演出制御用ＣＰＵ３１ａは、変動パターン指定コマンドを入力すると、変動パターン指定コマンドにて指定された変動パターンで飾図を変動表示させて変動ゲームを開始させるように演出表示装置１１の表示内容を制御する。
【００８５】
また、演出制御用ＣＰＵ３１ａは、変動パターン指定コマンド及び特図指定コマンドを入力すると、当該変動パターン指定コマンドにより指定された変動パターン及び当該特図指定コマンドにより指定された最終停止図柄に基づいて、演出表示装置１１に表示させる飾図を決定する。
【００８６】
より詳しくは、演出制御用ＣＰＵ３１ａは、８Ｒ大当り遊技、又は第２の４Ｒ大当り遊技が付与される大当り図柄の場合、飾図を大当り図柄の中から決定する。また、演出制御用ＣＰＵ３１ａは、第１の４Ｒ大当り遊技、短縮大当り遊技、又は小当り遊技が付与される場合、飾図を確変示唆図柄の中から決定する。このように、本実施形態では、８Ｒ大当り遊技、第２の４Ｒ大当り遊技が決定された場合、大当り図柄から何れかが決定されるため、図柄の種類が同じとなる。このため、飾図から、８Ｒ大当り遊技、及び第２の４Ｒ大当り遊技の何れが付与されたかを特定することができないようになっている。また、第１の４Ｒ大当り遊技、短縮大当り遊技、又は小当り遊技が決定された場合、確変示唆図柄から何れかが決定されるため、図柄の種類が同じとなる。このため、飾図から、第１の４Ｒ大当り遊技、短縮大当り遊技、及び小当り遊技の何れが付与されたかを特定することができないようになっている。
【００８７】
また、演出制御用ＣＰＵ３１ａは、指定された最終停止図柄が、はずれ図柄の場合であって、はずれリーチ変動用の変動パターンが指定された場合、リーチ状態を形成するはずれ図柄の中から飾図を決定する。また、演出制御用ＣＰＵ３１ａは、指定された最終停止図柄が、はずれ図柄の場合であって、はずれ変動用の変動パターンが指定された場合、飾図をはずれ図柄の中から決定する。
【００８８】
そして、演出制御用ＣＰＵ３１ａは、全図柄停止コマンドを入力すると、決定した飾図を確定停止表示させるように演出表示装置１１の表示内容を制御する。この制御により、演出表示装置１１では変動ゲームが行われる。
【００８９】
また、演出制御用ＣＰＵ３１ａは、オープニングコマンドを入力すると、原則として、該コマンドに対応するオープニング演出を実行させるように演出表示装置１１の表示内容を制御する。また、演出制御用ＣＰＵ３１ａは、ラウンドコマンドを入力すると、原則として、各ラウンド演出を実行させるように演出表示装置１１の表示内容を制御する。また、演出制御用ＣＰＵ３１ａは、エンディングコマンドを入力すると、原則として、エンディング演出を実行させるように演出表示装置１１の表示内容を制御する。
【００９０】
また、演出制御用ＣＰＵ３１ａは、変短指定コマンド、変短終了コマンドを入力すると、当該コマンドに対応する値を演出制御用ＲＡＭ３１ｃに設定する。特に、演出制御用ＣＰＵ３１ａは、大当りとなる変動ゲームの開始時に特図指定コマンドを入力すると、特図の種類から大当り遊技の種類が特定可能である。また、演出制御用ＣＰＵ３１ａは、その大当り遊技の種類と、当選時（現在）の遊技状態とに基づいて、確変状態、変短状態が付与されるか否か、変短回数が特定可能である。そして、演出制御用ＣＰＵ３１ａは、変短状態が付与された場合には、演出制御用ＲＡＭ３１ｃに割り当てられた作動回数に特定した変短回数を設定する。この作動回数は、変短状態が付与された回数を計数するためのカウンタである。そして、演出制御用ＣＰＵ３１ａは、作動回数が「０」となるまで、変動ゲームが実行される毎に作動回数を「１」減算する。
【００９１】
また、本実施形態では、各大当り遊技及び小当り遊技の終了後を主な条件として、演出モードが移行可能である。演出モードとは、確変状態が付与されていることを示唆する確変期待度（確変状態が付与されている可能性）を示すものである。この確変期待度とは、確変状態である場合の出現率と非確変状態である場合の出現率を合算した全体出現率に対し、確変状態である場合の出現率の割合を示すものである。また、演出モードは、変動ゲームにおける演出表示装置１１の背景画像の種類に対応し、その背景画像により遊技者によって容易に認識し得る。つまり、実行される演出の演出態様によって確変期待度を示す演出モードが特定可能となる。また、演出モードは、連続する複数回の変動ゲームに跨り実行可能である。
【００９２】
ここで、このような演出モードについて図４を参照して以下に説明する。図４に示すように、本実施形態には確変期待度が異なる複数種類の演出モードがある。複数の演出モードには、通常演出モードＭＡ、通常時確変秘匿演出モードＭＢ、確変秘匿演出モードＭＣ、確変確定演出モードＭＤの４種類が含まれている。なお、以下、各演出モードについて、各符号ＭＡ〜ＭＤを用いて単に「演出モード」と示す。
【００９３】
演出モードＭＡ，ＭＢは、変短状態が付与されていないときの演出モードであり、演出モードＭＣ，ＭＤは、変短状態が付与されているときの演出モードである。
また、演出モードＭＡ〜ＭＣは、確変状態が付与されている場合と付与されていない場合とで滞在可能であり、確変状態が付与されている可能性がある演出モードである。また、演出モードＭＤは、確変状態が付与されている場合に限り滞在可能であり、確変状態が付与されていることが確定している演出モードである。
【００９４】
また、演出モードＭＡ〜ＭＣにおいては、確変状態であるか否かに拘わらず、演出モード毎に同じ種類の背景画像が表示され、原則として、その背景画像からは、確変状態であるか否かが遊技者によって認識し難い。なお、本実施形態において、演出モードＭＣでは連続して滞在する滞在回数によって確変状態が付与されていることが確定することとなる。また、各演出モードＭＡ〜ＭＤにおいて、背景画像が少なくとも異なり、異なる演出態様であると遊技者によって特定可能である。
【００９５】
また、これら複数の演出モードＭＡ〜ＭＣには、確変状態が付与されている可能性を示唆する確変期待度を示す機能がある。変短状態が付与されていない非変短状態においては、演出モードＭＡ（低）、演出モードＭＢ（中）の順で確変期待度が高くなるように設定されている。その一方で、変短状態が付与されている場合においては、演出モードＭＣ（高）、演出モードＭＤ（最高）の順で確変期待度が高くなるように設定されている。このように、演出モードには、確変期待度が異なる複数種類の演出モードＭＡ〜ＭＤが含まれている。
【００９６】
次に、遊技の進行に伴う各種演出モードの移行遷移について図５を参照して以下に説明する。また、図５では、複数の演出モードを分類するために破線を用いて示している。
図５に示すように、変短状態が付与されているときには、演出モードＭＣ，ＭＤのうち何れかに滞在する。その一方で、変短状態が付与されていないときには、演出モードＭＡ，ＭＢのうち何れかに滞在する。そして、各種大当り又は小当りに当選した場合には、その遊技の終了後、最初の変動ゲームの開始とともに演出モードが移行される。
【００９７】
８Ｒ確変大当り又は４Ｒ確変大当りに当選した場合には、演出モードＭＡ〜ＭＤのうち何れかに滞在していたとしても演出モードＭＤに移行するようになっている。
次に、演出モードＭＣ，ＭＤのうち何れかに滞在中で、短縮大当りに当選した場合には、演出モードＭＣに移行するようになっている。なお、演出モードＭＣ，ＭＤのうち何れかに滞在中で、小当り（図柄Ｆ）に当選した場合には、以前から滞在している演出モードを維持するようになっている。
【００９８】
また、演出モードＭＣにおいて、大当り遊技の終了後、予め定められた回数（５０回）の変動ゲームが終了することにより、変短状態の付与が終了する場合には、その変動ゲームの開始時に、演出モードＭＡに移行するようになっている。なお、大当り遊技の終了後、５１回目の変動ゲームであっても演出モードＭＣの滞在が継続した場合には、確変状態であることが確定することとなる。
【００９９】
次に、演出モードＭＡ，ＭＢのうち何れかに滞在中で、短縮大当り又は小当りに当選した場合には、演出モードＭＢに移行するようになっている。
また、演出モードＭＢにおいて、当り遊技の終了後、予め定められた回数（４０回）の変動ゲームが終了することを契機として、その次の変動ゲームの開始時に、演出モードＭＡに移行する場合がある。
【０１００】
また、本実施形態では、大当り遊技や小当り遊技における当り遊技用演出として、原則として、オープニング演出、各ラウンド演出、エンディング演出が実行される。その一方で、当り遊技が開始された後に短開放態様で大入賞口１８の開閉制御が行われる場合や、大当り遊技や小当り遊技が終了される前に短開放態様で大入賞口１８の開閉制御が行われる場合には、オープニング演出、各ラウンド演出、エンディング演出が実行されず、変動ゲーム中と見た目上に同一と認識可能なような特殊演出が実行される。このような特殊演出について図６を参照して以下に説明する。なお、図６においては、当り抽選の当選時における遊技状態が変短状態であるか非変短状態であるかで同じような演出態様となるため、非変短状態である場合を一例とする。
【０１０１】
図６（ａ）に示すように、８Ｒ大当り遊技が付与される場合を一例とする。当り抽選に当選した変動ゲームが符号Ｔ０１のタイミングで終了すると、８Ｒ大当り遊技が開始される。８Ｒ大当り遊技では、オープニング時間（図中では「ＯＰ」と示す）が経過した後、符号Ｔ０２のタイミングから符号Ｔ０３のタイミングまでで、１〜８回目のラウンド遊技時間（図中では「Ｒ」と示す）において、長開放態様で大入賞口１８が開閉制御されるラウンド遊技が行われる。そして、符号Ｔ０３のタイミングで、８回目のラウンド遊技におけるインターバル時間が終了し、エンディング時間（図中では「ＥＤ」と示す）が開始する。続いて、エンディング時間が経過すると、符号Ｔ０４のタイミングで、８Ｒ大当り遊技が終了し、次回の変動ゲームが開始可能となり、変動ゲームの開始を契機として演出モードＭＤに対応する背景画像や飾図が表示される。
【０１０２】
この場合、原則通り、オープニング時間では、大当り遊技の開始を示すオープニング演出が、ラウンド遊技時間では、ラウンド遊技の実行を示す各ラウンド演出が、エンディング時間では、大当り遊技の終了を示すエンディング演出がそれぞれ実行される。なお、８Ｒ大当り遊技の開始前の変動ゲームで滞在している演出モードに拘わらず、このような当り遊技用演出が実行される。
【０１０３】
次に、図６（ｂ）に示すように、第１の４Ｒ大当り遊技が付与される場合を一例とする。当り抽選に当選した変動ゲームが符号Ｔ１１のタイミングで終了すると、第１の４Ｒ大当り遊技が開始される。第１の４Ｒ大当り遊技では、オープニング時間が経過した後、符号Ｔ１２のタイミングから符号Ｔ１３のタイミングまでで、１〜４回目のラウンド遊技時間において、短開放態様で大入賞口１８が開閉制御されるラウンド遊技が行われる。そして、符号Ｔ１３のタイミングから符号Ｔ１４のタイミングまでで、５〜８回目のラウンド遊技時間（図中では「Ｒ」と示す）において、長開放態様で大入賞口１８が開閉制御されるラウンド遊技が行われる。そして、符号Ｔ１４のタイミングで、８回目のラウンド遊技におけるインターバル時間が終了し、エンディング時間が開始される。続いて、エンディング時間が経過すると、符号Ｔ１５のタイミングで、第１の４Ｒ大当り遊技が終了し、次回の変動ゲームが開始可能となり、変動ゲームの開始を契機として演出モードＭＤに対応する背景画像や飾図が表示される。
【０１０４】
この場合、原則通り、５〜８回目のラウンド遊技時間では各ラウンド演出が、エンディング時間ではエンディング演出がそれぞれ実行される。その一方で、例外的に、オープニング時間でもオープニング演出が実行されることなく、１〜４回目のラウンド遊技時間では各ラウンド演出が実行されず、第１の４Ｒ大当り遊技の開始直前における変動ゲーム中と見た目上に同一と認識可能なような特殊演出が実行される。この特殊演出では、第１の４Ｒ大当り遊技の終了直前における変動ゲームで滞在する演出モードＭＡ，ＭＢの何れかに対応し、変動ゲーム中と同じように飾図や背景画像が表示される。また、特殊演出を実行させる時間を短縮し、演出の連続性を持たせるためにも、オープニング時間が通常よりも短い時間として規定されている。なお、第１の４Ｒ大当り遊技の終了直後の変動ゲームで滞在する演出モードに拘わらず、このような当り遊技用演出が実行される。
【０１０５】
次に、図６（ｃ）に示すように、第２の４Ｒ大当り遊技が付与される場合を一例とする。当り抽選に当選した変動ゲームが符号Ｔ２１のタイミングで終了すると、第２の４Ｒ大当り遊技が開始される。第２の４Ｒ大当り遊技では、オープニング時間が経過した後、符号Ｔ２２のタイミングから符号Ｔ２３のタイミングまでで、１〜４回目のラウンド遊技時間において、長開放態様で大入賞口１８が開閉制御されるラウンド遊技が行われる。そして、符号Ｔ２３のタイミングから符号Ｔ２４のタイミングまでで、５〜８回目のラウンド遊技時間において、短開放態様で大入賞口１８が開閉制御されるラウンド遊技が行われる。そして、符号Ｔ２４のタイミングで、８回目のラウンド遊技におけるインターバル時間が終了し、エンディング時間が開始される。続いて、エンディング時間が経過すると、符号Ｔ２５のタイミングで、第２の４Ｒ大当り遊技が終了し、次回の変動ゲームが開始可能となり、変動ゲームの開始を契機として演出モードＭＤに対応する背景画像や飾図が表示される。
【０１０６】
この場合、原則通り、オープニング時間ではオープニング演出が、１〜４回目のラウンド遊技時間では各ラウンド演出がそれぞれ実行される。その一方で、例外的に、５〜８回目のラウンド遊技時間では各ラウンド演出が実行されることなく、エンディング時間でもエンディング演出が実行されず、第２の４Ｒ大当り遊技の終了直後における変動ゲーム中と見た目上に同一と認識可能なような特殊演出が実行される。この特殊演出では、第２の４Ｒ大当り遊技の終了直後における変動ゲームで滞在する演出モードＭＤに対応し、変動ゲーム中と同じように飾図や背景画像が表示される。また、特殊演出を実行させる時間を短縮し、演出の連続性を持たせるためにも、エンディング時間が通常よりも短い時間として規定されている。なお、第２の４Ｒ大当り遊技の開始直前の変動ゲームで滞在していた演出モードに拘わらず、このような当り遊技用演出が実行される。
【０１０７】
最後に、図６（ｄ）に示すように、短縮大当り遊技又は小当り遊技が付与される場合を一例とする。当り抽選に当選した変動ゲームが符号Ｔ３１のタイミングで終了すると、短縮大当り遊技又は小当り遊技が開始される。短縮大当り遊技又は小当り遊技では、オープニング時間が経過した後、符号Ｔ３２のタイミングから符号Ｔ３３のタイミングまでで、１〜４回目のラウンド遊技時間において、短開放態様で大入賞口１８が開閉制御され、長開放態様で大入賞口１８が開閉制御されない。そして、符号Ｔ３３のタイミングで、４回目のラウンド遊技におけるインターバル時間が終了し、エンディング時間が開始される。続いて、エンディング時間が経過すると、符号Ｔ３４のタイミングで、短縮大当り遊技又は小当り遊技が終了し、次回の変動ゲームが開始可能となり、変動ゲームの開始を契機として演出モードＭＢに対応する背景画像や飾図が表示される。
【０１０８】
この場合、例外的に、オープニング時間でもオープニング演出が、１〜４回目のラウンド遊技時間では各ラウンド演出が、エンディング時間でもエンディング演出がそれぞれ実行されず、短縮大当り遊技又は小当り遊技の開始直前における変動ゲーム中と見た目上に同一と認識可能なような特殊演出が実行される。この特殊演出では、短縮大当り遊技又は小当り遊技の終了直後における変動ゲームで滞在する演出モードＭＡ，ＭＢの何れかに対応し、変動ゲーム中と同じように飾図や背景画像が表示される。また、特殊演出を実行させる時間を短縮し、演出の連続性を持たせるためにも、オープニング時間、エンディング時間が通常よりも短い時間として規定されている。なお、短縮大当り遊技又は小当り遊技の終了直後の変動ゲームで滞在する演出モードに拘わらず、このような当り遊技用演出が実行される。
【０１０９】
ここで、演出表示装置１１の画像表示部ＧＨに表示される画像の具体的な一例について図７〜図１０を参照して以下に説明する。
まず、図７（ａ）に示すように、画像表示部ＧＨにおいて、飾図が確定停止表示されており、図７（ｂ）に示すように、飾図が変動表示される。そして、図７（ｃ）に示すように、飾図がはずれ図柄として確定停止表示される場合があり、変動ゲームが終了する。このとき、演出モードＭＡを示す背景画像ＨＧＡが表示されており、演出モードＭＡに対応する四角形状の飾図Ｚ１〜Ｚ３が変動表示されている。
【０１１０】
次に、図７（ｄ）に示すように、飾図が変動表示され、図７（ｅ）に示すように、飾図が確変示唆図柄として確定停止表示される場合があり、変動ゲームが終了する。このとき、演出モードＭＡを示す背景画像ＨＧＡが表示されており、演出モードＭＡに対応する四角形状の飾図Ｚ１〜Ｚ３が変動表示されている。
【０１１１】
そして、飾図が確定停止表示された後、所定時間に亘り、演出モードＭＡを示す背景画像ＨＧＡの表示、演出モードＭＡに対応する四角形状の飾図Ｚ１〜Ｚ３の表示が維持される。なお、このような表示が維持されている間、短縮大当り遊技又は小当り遊技が行われており、短開放態様で大入賞口１８が開閉制御される。
【０１１２】
このように、短縮大当り遊技又は小当り遊技においては、短開放態様で大入賞口１８が開閉制御され、長開放態様で大入賞口１８が開閉制御されることがない。このため、短縮大当り遊技又は小当り遊技となる直前に実行された変動ゲームにおいて滞在していた演出モードＭＡに対応して背景画像や飾図が表示される。これによって、その変動ゲーム中と見た目上に同一と認識可能なように背景画像や飾図が表示され、短縮大当り遊技又は小当り遊技となったことや、短開放態様で大入賞口１８が開閉制御されることを特定し難くすることができる。
【０１１３】
続いて、図７（ｆ）に示すように、演出モードＭＡから演出モードＭＢに移行したことが報知される。また、演出モードＭＢを示す背景画像ＨＧＢが表示され、演出モードＭＢに対応する円形状の飾図Ｚ１〜Ｚ３が表示され、図７（ｇ）に示すように、飾図が変動表示される。そして、図７（ｈ）に示すように、左列、右列の飾図が同じ図柄となり、リーチ状態が形成され、図８（ａ）に示すように、飾図が大当り図柄として確定停止表示される場合があり、変動ゲームが終了する。このとき、演出モードＭＢを示す背景画像ＨＧＢが表示されており、演出モードＭＢに対応する円形状の飾図Ｚ１〜Ｚ３が変動表示されている。
【０１１４】
そして、図８（ｂ）に示すように、大当り遊技が開始されることが報知され、１回目のラウンド遊技が開始される。続いて、２、３回目のラウンド遊技が行われ、図８（ｃ）に示すように、４回目のラウンド遊技が行われる。そして、その後、図８（ｄ）に示すように、５回目のラウンド遊技が継続して行われる。続いて、６、７回目のラウンド遊技が行われ、図８（ｅ）に示すように、８回目のラウンド遊技が継続して行われ、図８（ｆ）に示すように、大当り遊技が終了し、演出モードＭＤに移行することが報知される。このように、８Ｒ大当り遊技が行われ、長開放態様で大入賞口１８が開閉制御される。また、８Ｒ大当り遊技中では、演出モードに対応する背景画像が表示されず、大当り遊技中における背景画像が表示され、確定停止表示された飾図としては、画像表示部ＧＨの右上に縮小して表示される。
【０１１５】
そして、８Ｒ大当り遊技が終了した後には、図８（ｇ）に示すように、演出モードＭＤを示す背景画像ＨＧＤが表示され、演出モードＭＤに対応する六角形状の飾図Ｚ１〜Ｚ３が表示され、図８（ｈ）に示すように、飾図が変動表示される。
【０１１６】
このように、８Ｒ大当り遊技においては、長開放態様で大入賞口１８が開閉制御され、短開放態様で大入賞口１８が開閉制御されることがない。このため、８Ｒ大当り遊技となると、大当り遊技中であること（大当り遊技の開始及び終了）が積極的に報知され、直前や直後に実行される変動ゲーム中と見た目上に同一と認識し難くなるように画像が表示され、８Ｒ大当り遊技となったことや、長開放態様で大入賞口１８が開閉制御されることを特定し易くすることができる。
【０１１７】
第１の４Ｒ大当り遊技が付与される場合を一例とすると、図９（ａ）に示すように、飾図が確定停止表示されており、図９（ｂ）に示すように、飾図が変動表示される。そして、図９（ｃ）に示すように、飾図が確変示唆図柄として確定停止表示される場合があり、変動ゲームが終了する。このとき、演出モードＭＡを示す背景画像ＨＧＡが表示されており、演出モードＭＡに対応する四角形状の飾図Ｚ１〜Ｚ３が変動表示されている。
【０１１８】
そして、飾図が確定停止表示された後、所定時間に亘り、演出モードＭＡを示す背景画像ＨＧＡの表示、演出モードＭＡに対応する四角形状の飾図Ｚ１〜Ｚ３の表示が維持される。なお、このような表示が維持されている間、第１の４Ｒ大当り遊技の１〜４回目のラウンド遊技が行われており、短開放態様で大入賞口１８が開閉制御される。
【０１１９】
続いて、図９（ｄ）に示すように、大当り遊技が開始されることが報知され、５回目のラウンド遊技が開始される。なお、この場合、大当り遊技となる直前の変動ゲームで飾図が確変示唆図柄として確定停止表示されていたが、大当り遊技の開始を契機として飾図が大当り図柄に変更される。続いて、６、７回目のラウンド遊技が行われ、図９（ｅ）に示すように、８回目のラウンド遊技が行われる。なお、本実施形態において、５〜８回目のラウンド遊技では、ラウンド数を示す画像が画像表示部ＧＨの端部に大きく表示され、１〜４回目のラウンド遊技では、ラウンド数を示す画像が画像表示部ＧＨの端部に小さく表示される。そして、図９（ｆ）に示すように、大当り遊技が終了し、演出モードＭＤに移行することが報知される。このように、第１の４Ｒ大当り遊技が行われ、５〜８回目のラウンド遊技では、長開放態様で大入賞口１８が開閉制御される。
【０１２０】
そして、第１の４Ｒ大当り遊技が終了した後には、図９（ｇ）に示すように、演出モードＭＤを示す背景画像ＨＧＤが表示され、演出モードＭＤに対応する六角形状の飾図Ｚ１〜Ｚ３が表示され、図９（ｈ）に示すように、飾図が変動表示される。
【０１２１】
このように、第１の４Ｒ大当り遊技が行われ、１〜４回目のラウンド遊技時間においては、短開放態様で大入賞口１８が開閉制御される。このため、第１の４Ｒ大当り遊技となる直前に実行された変動ゲームにおいて滞在していた演出モードＭＡに対応して背景画像や飾図が表示される。これによって、その変動ゲーム中と見た目上に同一と認識可能なように背景画像や飾図が表示され、第１の４Ｒ大当り遊技となったことや、短開放態様で大入賞口１８が開閉制御されることを特定し難くすることができる。
【０１２２】
そして、５〜８回目のラウンド遊技時間においては、長開放態様で大入賞口１８が開閉制御される。このため、第１の４Ｒ大当り遊技における５回目のラウンド遊技となると、大当り遊技中であること（大当り遊技の開始及び終了）が積極的に報知され、直前や直後に実行される変動ゲーム中と見た目上に同一と認識し難くなるように画像が表示される。これによって、第１の４Ｒ大当り遊技となったことや、長開放態様で大入賞口１８が開閉制御されることを特定し易くすることができる。
【０１２３】
また、第２の４Ｒ大当り遊技が付与される場合を一例とすると、図１０（ａ）に示すように、飾図が確定停止表示されており、図１０（ｂ）に示すように、飾図が変動表示される。そして、図１０（ｃ）に示すように、飾図が大当り図柄として確定停止表示される場合があり、変動ゲームが終了する。このとき、演出モードＭＡを示す背景画像ＨＧＡが表示されており、演出モードＭＡに対応する四角形状の飾図Ｚ１〜Ｚ３が変動表示されている。
【０１２４】
そして、飾図が確定停止表示された後、図１０（ｄ）に示すように、大当り遊技が開始されることが報知され、１回目のラウンド遊技が開始される。続いて、２、３回目のラウンド遊技が行われ、図１０（ｅ）に示すように、４回目のラウンド遊技が行われ、図１０（ｆ）に示すように、大当り遊技が終了し、演出モードＭＤに移行することが報知される。なお、この場合、大当りが終了することが報知されたが、実際には、４回目のラウンド遊技が終了しただけであり、５〜８回目のラウンド遊技が終了しておらず、大当り遊技自体は終了していない。また、第２の４Ｒ大当り遊技では、１〜４回目のラウンド遊技時間においては、長開放態様で大入賞口１８が開閉制御される。
【０１２５】
そして、図１０（ｇ）に示すように、演出モードＭＤを示す背景画像ＨＧＤが表示され、演出モードＭＤに対応する六角形状の飾図Ｚ１〜Ｚ３が表示され、所定時間に亘り、これら背景画像及び飾図の表示が維持される。なお、この場合、このような表示が維持されている間、第２の４Ｒ大当り遊技が行われており、５〜８回目のラウンド遊技において、短開放態様で大入賞口１８が開閉制御される。なお、本実施形態において、１〜４回目のラウンド遊技では、ラウンド数を示す画像が画像表示部ＧＨの端部に大きく表示され、５〜８回目のラウンド遊技では、ラウンド数を示す画像が画像表示部ＧＨの端部に小さく表示される。そして、第２の４Ｒ大当り遊技が終了した後には、図１０（ｈ）に示すように、飾図が変動表示される。
【０１２６】
このように、第２の４Ｒ大当り遊技における１〜４回目のラウンド遊技となると、大当り遊技中であること（大当り遊技の開始及び終了）が積極的に報知され、直前や直後に実行される変動ゲーム中と見た目上に同一と認識し難くなるように画像が表示される。これによって、第２の４Ｒ大当り遊技となったことや、長開放態様で大入賞口１８が開閉制御されることを特定し易くすることができる。
【０１２７】
また、第２の４Ｒ大当り遊技が行われ、５〜８回目のラウンド遊技時間においては、短開放態様で大入賞口１８が開閉制御される。このため、第２の４Ｒ大当り遊技となる直後に実行される変動ゲームにおいて滞在していた演出モードＭＤに対応して背景画像や飾図が表示される。これによって、その変動ゲーム中と見た目上に同一と認識可能なように背景画像や飾図が表示され、第２の４Ｒ大当り遊技となったことや、長開放態様で大入賞口１８が開閉制御されることを特定し難くすることができる。
【０１２８】
ここで、演出制御用ＣＰＵ３１ａによって実行される当り時制御処理について以下に説明する。この当り時制御処理は、当り遊技（大当り遊技又は小当り遊技）の開始時において、その当り遊技での当り遊技用演出の実行に関する制御や、その当り遊技の終了後における演出モードに関する制御を行うための処理である。演出制御用ＣＰＵ３１ａは、主制御用ＣＰＵ３０ａからのオープニングコマンドの入力により、当り時制御処理を実行するようになっている。
【０１２９】
最初に、演出制御用ＣＰＵ３１ａは、演出制御用ＲＡＭ３１ｃに割り当てられた演出モードフラグから値を読み出し、当り遊技となる直前の変動ゲームにおいて滞在する演出モードを特定する。この演出モードフラグは、滞在する演出モードを示すフラグである。
【０１３０】
また、演出制御用ＣＰＵ３１ａは、当り抽選に当選した変動ゲームにおける特図指定コマンドに基づいて、大当りの種類又は小当りの当選を特定する。そして、演出制御用ＣＰＵ３１ａは、作動回数から値を読み出し、その作動回数の値が「０」であるか否かによって、当り抽選の当選時の遊技状態として変短状態であったか否かを判定する。判定結果に基づいて、演出制御用ＣＰＵ３１ａは、大当り遊技又は小当り遊技の終了後に移行させる演出モードを特定する。
【０１３１】
具体的には、当り抽選の当選時における遊技状態に拘わらず、８Ｒ確変大当り又は４Ｒ確変大当りに当選した場合には、演出制御用ＣＰＵ３１ａは、当り遊技の終了後に移行させる演出モードとして演出モードＭＤを特定する。また、変短状態で短縮大当りに当選した場合には、演出制御用ＣＰＵ３１ａは、当り遊技の終了後に移行させる演出モードとして演出モードＭＣを特定する。また、変短状態で小当りに当選した場合には、演出制御用ＣＰＵ３１ａは、当り遊技の終了後に移行させる演出モードとして、演出モードを変更させない。また、非変短状態で短縮大当り又は小当りに当選した場合には、演出制御用ＣＰＵ３１ａは、当り遊技の終了後に移行させる演出モードとして演出モードＭＢを特定する。
【０１３２】
そして、演出制御用ＣＰＵ３１ａは、特定された当り遊技の種類によって、当り遊技用演出を決定し、演出制御用ＲＡＭ３１ｃに設定する。具体的に、演出制御用ＣＰＵ３１ａは、８Ｒ大当り遊技が付与されると特定された場合、オープニング時間にオープニング演出を、各ラウンド遊技時間にラウンド演出を、エンディング時間にエンディング演出をそれぞれ実行させると決定する。
【０１３３】
また、演出制御用ＣＰＵ３１ａは、第１の４Ｒ大当り遊技が付与されると特定された場合、オープニング時間が開始されてから４回目のラウンド遊技におけるインターバル時間が終了するまで、直前の変動ゲームにおいて滞在していた演出モードに対応する当り遊技用演出を実行させると決定する。そして、演出制御用ＣＰＵ３１ａは、第１の４Ｒ大当り遊技が付与されると特定された場合、５〜８回目のラウンド遊技時間にラウンド演出を、エンディング時間にエンディング演出をそれぞれ実行させると決定する。
【０１３４】
また、演出制御用ＣＰＵ３１ａは、短縮大当り遊技又は小当り遊技が付与されると特定された場合、オープニング時間が開始されてからエンディング時間が終了するまで、直前の変動ゲームにおいて滞在していた演出モードに対応する当り遊技用演出を実行させると決定する。
【０１３５】
また、演出制御用ＣＰＵ３１ａは、第２の４Ｒ大当り遊技が付与されると特定された場合、オープニング時間にオープニング演出を、１〜４回目のラウンド遊技時間にラウンド演出をそれぞれ実行させると決定する。そして、演出制御用ＣＰＵ３１ａは、第２の４Ｒ大当り遊技が付与されると特定された場合、５回目のラウンド遊技時間が開始されてからエンディング時間が終了するまで、直後の変動ゲームにおいて滞在する演出モードに対応する当り遊技用演出を実行させると決定する。
【０１３６】
このように制御することによって、演出制御用ＣＰＵ３１ａは、第１の４Ｒ大当り遊技、短縮大当り遊技、及び小当り遊技において、直前の変動ゲームが終了してから短開放態様で大入賞口１８の開閉制御を行うまでの間、飾図や背景画像等を変動ゲーム中と見た目上に同一と認識可能なように表示させる制御を行うこととなる。また、演出制御用ＣＰＵ３１ａは、第２の４Ｒ大当り遊技において、短開放態様で大入賞口１８の開閉制御を行い始めてから、直後の変動ゲームが開始されるまでの間、飾図や背景画像等を変動ゲーム中と見た目上に同一と認識可能なように表示させる制御を行うこととなる。
【０１３７】
その一方で、演出制御用ＣＰＵ３１ａは、８Ｒ大当り遊技、及び４Ｒ大当り遊技においては、長開放態様での開閉制御を行う場合には、大当り遊技中であることを積極的に報知する内容で当り遊技用演出を行うこととなる。言い換えると、演出制御用ＣＰＵ３１ａは、４Ｒ大当り遊技においては、短開放態様で大入賞口１８を開閉制御するラウンド遊技時間（インターバル時間を含む）と、長開放態様で大入賞口１８を開閉制御するラウンド遊技時間（インターバル時間を含む）とで異なる内容の当り遊技用演出を行わせることとなる。
【０１３８】
続いて、演出制御用ＣＰＵ３１ａは、当り遊技の終了後に移行させる演出モードを示すデータを、演出制御用ＲＡＭ３１ｃに割り当てられた演出モードフラグに設定する。そして、演出制御用ＣＰＵ３１ａは、非変短状態で短縮大当り又は小当りに当選した場合には、演出モードＭＢの上限滞在回数を示す値を演出制御用ＲＡＭ３１ｃに割り当てられた滞在カウンタに設定する。この滞在カウンタは、大当り遊技又は小当り遊技の終了後に実行される変動ゲームの回数を計数するためのカウンタである。
【０１３９】
このように制御することによって、演出制御用ＣＰＵ３１ａは、大当り遊技又は小当り遊技の終了後において移行する演出モードを指定するとともに、その上限滞在回数を指定する。
【０１４０】
その後、当り時制御処理とは別の処理において、演出制御用ＣＰＵ３１ａは、オープニングコマンド、ラウンドコマンド、エンディングコマンド、変動パターン指定コマンドの入力により、演出制御用ＲＡＭ３１ｃから当り遊技用演出の種類を読み出し、当り遊技用演出を実行させることとなる。なお、ここでいうオープニングコマンドとは、当り時制御処理の実行契機となるコマンドと同じコマンドとなる。また、演出制御用ＣＰＵ３１ａは、当り遊技の開始直前又は終了直後における変動ゲーム中と見た目上に同一と認識可能なような当り遊技用演出が実行される場合には、各種のコマンドが入力されても、オープニング演出、ラウンド演出、エンディング演出を実行させない制御を行うこととなる。
【０１４１】
また、当り時制御処理とは別の処理において、演出制御用ＣＰＵ３１ａは、大当り遊技又は小当り遊技の終了直後における変動ゲームの開始時に、演出制御用ＲＡＭ３１ｃにおける演出モードフラグから値を読み出し、演出モードを特定し、その演出モードに対応する飾図、背景画像等、各種画像を表示させるように演出表示装置１１を制御する。
【０１４２】
また、本実施形態において、当り時制御処理とは別の処理において、演出制御用ＣＰＵ３１ａは、変動パターン指定コマンドが入力された場合、演出モードフラグに基づいて演出モードＭＢに滞在していると判定したときには、滞在カウンタを「１」減算する。そして、演出制御用ＣＰＵ３１ａは、滞在カウンタが「０」となったときには、演出モードＭＡを示すデータを演出モードフラグに設定する。
【０１４３】
また、演出制御用ＣＰＵ３１ａは、変動パターン指定コマンドが入力された場合、変短状態から非変短状態になるときには、演出モードＭＡを示す値を演出制御用ＲＡＭ３１ｃにおける演出モードフラグに設定することとなる。
【０１４４】
そして、演出制御用ＣＰＵ３１ａは、演出制御用ＲＡＭ３１ｃにおける演出モードフラグから値を読み出し、演出モードを特定し、その演出モードに対応する飾図、背景画像等、各種画像を表示させるように演出表示装置１１を制御する。
【０１４５】
以上詳述したように、本実施形態は、以下の効果を有する。
（１）当り遊技中とその当り遊技の非実行中との移行に際し、短開放態様で大入賞口１８の開閉制御を行う間には、当り遊技中とその当り遊技の非実行中とで見た目上に同一と認識可能な状況を創出することができる。したがって、当り遊技中でも特に４Ｒ大当り遊技、短縮大当り遊技、小当り遊技における大入賞口１８の短開放態様での開閉制御に遊技者を気付かせ難くすることで、遊技への意欲の低下を抑制することができる。
【０１４６】
（２）変動ゲームから当り遊技へと繋がる際、短開放態様で大入賞口１８の開閉制御を行う場合、このような状況を遊技者に気付かせ難くすることができる。このため、大入賞口１８の短開放態様によるゲーム性を付与するに際し、遊技者の遊技への意欲の低下を招くことなく実現することができる。
【０１４７】
（３）当り遊技から変動ゲームへと繋がる際、短開放態様で大入賞口１８の開閉制御を行う場合、このような状況を遊技者に気付かせ難くすることができる。このため、大入賞口１８の短開放態様によるゲーム性を付与するに際し、遊技者の遊技への意欲の低下を招くことなく実現することができる。
【０１４８】
（４）長開放態様での大入賞口１８の開閉制御が連続して伴われる状況では、利益を獲得し得ることで遊技者の遊技への意欲の向上が予想される一方、短開放態様での大入賞口１８の開閉制御が連続して伴われる状況では、利益の獲得が困難であることから、遊技者の遊技への意欲の低下が予想される。このため、遊技者の遊技への意欲の低下が予想される状況を遊技者に気付き難くすることで、遊技者の遊技への意欲の向上が予想される状況への影響を最小限に止めることができる。
【０１４９】
（５）長開放態様での大入賞口１８の開閉制御を伴う場合には、短開放態様での大入賞口１８の開閉制御を伴う場合と異なる内容の当り遊技用演出を行わせることで、それぞれの開閉制御の特徴を活かしたゲーム性を実現することができる。
【０１５０】
（６）また、長開放態様での大入賞口１８の開閉制御を伴う場合には、当り遊技中であることが積極的に報知されることで、遊技者の遊技への意欲の向上の効果を効果的に発揮することができる。
【０１５１】
（７）短開放態様での大入賞口１８の開閉制御を伴う状況は、長開放態様での大入賞口１８の開閉制御を伴う状況に比べて、遊技者にとってまさに不利な状況ということができる。そして、このような状況を遊技者に気付かせ難くすることで、遊技者の遊技への意欲の低下を効果的に抑制することができる。
【０１５２】
尚、上記実施形態は、次のような別の実施形態（別例）にて具体化できる。
・上記実施形態において、大入賞口１８の開閉制御としては、ラウンド遊技時間とインターバル時間とが含まれたが、これに限らず、例えば、インターバル時間が含まれないようにしてもよい。
【０１５３】
・上記実施形態において、ゲーム用演出と見た目上に同一と認識可能な当り遊技用演出が、オープニング時間やエンディング時間において実行される場合があるが、これに限らず、例えば、オープニング時間やエンディング時間において実行されないように制御してもよい。つまり、長開放態様での大入賞口１８の開閉制御を含まずに、短開放態様での大入賞口１８の開閉制御を含み、短開放態様での大入賞口１８の開閉制御を伴うことを条件とする期間で、ゲーム用演出と見た目上に同一と認識可能な当り遊技用演出が実行されればよい。
【０１５４】
・上記実施形態において、当り遊技の開始直後における大入賞口１８の開閉制御が短開放態様である場合には、長開放態様である場合よりもオープニング時間を短くしたが、これに限らない。例えば、長開放態様と短開放態様とでオープニング時間を同じとしてもよく、短開放態様である場合には、長開放態様である場合よりもオープニング時間を長くしてもよい。また、例えば、オープニング時間が設定されていなくてもよい。
【０１５５】
・上記実施形態において、当り遊技の終了直前における大入賞口１８の開閉制御が短開放態様である場合には、長開放態様である場合よりもエンディング時間を短くしたが、これに限らない。例えば、長開放態様と短開放態様とでエンディング時間を同じとしてもよく、短開放態様である場合には、長開放態様である場合よりもエンディング時間を長くしてもよい。また、例えば、エンディング時間が設定されていなくてもよい。
【０１５６】
・上記実施形態において、変短状態であるか非変短状態であるかで同じように、大入賞口１８の開閉制御、当り遊技用演出に関する制御を行ったが、これに限らず、例えば、変短状態であるか非変短状態であるかで異なるように、大入賞口１８の開閉制御、当り遊技用演出に関する制御を行ってもよい。つまり、本発明は、変短状態であるときに限り適用されても、非変短状態であるときに限り適用されても、これらの組み合わせであってもよい。
【０１５７】
・上記実施形態において、例えば、４Ｒ大当り遊技のように、大入賞口１８の開閉制御が短開放態様と長開放態様との両方を含む当り遊技に限り、ゲーム用演出と見た目上に同一と認識可能な当り遊技用演出が実行されてもよい。また、例えば、短縮大当り遊技や小当り遊技のように、大入賞口１８の開閉制御が短開放態様のみを含む当り遊技に限り、ゲーム用演出と見た目上に同一と認識可能な当り遊技用演出が実行されてもよい。また、例えば、８Ｒ大当り遊技のように、大入賞口１８の開閉制御が長開放態様のみを含む当り遊技に限り、ゲーム用演出と見た目上に同一と認識可能な当り遊技用演出が実行されてもよい。
【０１５８】
・上記実施形態において、短開放態様で大入賞口１８が開閉制御されるラウンド遊技では、長開放態様で大入賞口１８が開閉制御されるラウンド遊技よりも小さいサイズでラウンド数を示す画像や飾図を画像表示部ＧＨに表示したが、これに限らない。例えば、短開放態様で大入賞口１８が開閉制御されるラウンド遊技では、長開放態様で大入賞口１８が開閉制御されるラウンド遊技と同じサイズでラウンド数を示す画像や飾図を画像表示部ＧＨに表示してもよい。また、例えば、短開放態様で大入賞口１８が開閉制御されるラウンド遊技では、ラウンド数を示す画像や飾図を画像表示部ＧＨに表示しなくてもよい。また、例えば、短開放態様で大入賞口１８が開閉制御されたラウンド遊技を１回のラウンド数として計数しなくてもよい。具体的には、第１の４Ｒ大当り遊技において、１〜４回目のラウンド遊技では短開放態様で、５〜８回目のラウンド遊技では長開放態様で大入賞口１８が開閉制御されるが、５〜８回目のラウンド遊技で１〜４回目のラウンド遊技であるようにラウンド数を示す画像を画像表示部ＧＨに表示させてもよい。また、上記実施形態において、演出モードが移行する場合に、移行先の演出モードを示す報知を行ったが、これに限らず、例えば、変短状態において小当りに当選したときのように、当り遊技の前後で同じ演出モードに滞在する場合に、移行先の演出モードを示す報知を行わないようにしてもよい。
【０１５９】
・上記実施形態において、大入賞口１８の複数種類の開放態様として短開放態様と長開放態様とが採用されたが、これに限らず、例えば、一種類の開放態様が採用されてもよい。また、例えば、一種類の開放態様が長開放態様であっても短開放態様であってもよい。
【０１６０】
・上記実施形態において、例えば、短開放態様での大入賞口１８の１回の開放時間が、遊技球が連続発射される際に遊技球が発射される所定間隔よりも長い時間に設定されていてもよい。また、例えば、長開放態様での大入賞口１８の１回の開放時間が、遊技球が連続発射される際に遊技球が発射される所定間隔以下の時間に設定されていてもよい。
【０１６１】
・上記実施形態において、１回のラウンド遊技において大入賞口１８を１回開放させるが、これに限らず、例えば、１回のラウンド遊技において大入賞口１８を複数回開放させてもよい。また、例えば、４Ｒ大当り遊技において、１回のラウンド遊技に短開放態様と長開放態様とが含まれるようにしてもよい。具体的には、第１の４Ｒ大当り遊技において、１〜５回目のラウンド遊技を１回のラウンド遊技として規定してもよい。また、第２の４Ｒ大当り遊技において、４〜８回目のラウンド遊技を１回のラウンド遊技として規定してもよい。
【０１６２】
・上記実施形態において、当りの種類、当り遊技種類としては、これに限らず、例えば、当りの種類、当り遊技の種類が更に多くてもよく、必要最小限の当りの種類、当り遊技の種類であってもよい。
【０１６３】
・上記実施形態において、例えば、当り遊技となる直前及び直後の何れか一方の変動ゲームにおいて滞在する演出モードに対応する当り遊技用演出が実行されてもよい。
・上記実施形態において、確変期待度を示す演出モードの制御を行ったが、これに限らず、例えば、確変期待度を示さずに演出態様が異なる演出モードの制御を行ってもよい。
【０１６４】
・上記実施形態において、変動ゲーム中における演出態様と、短開放態様で大入賞口１８が開閉制御される場合における演出態様とを同一の演出態様としたが、これに限らず、例えば、同一の演出態様ではなく、遊技者にとって同じような（同等の）演出態様であればよい。つまり、短開放態様で大入賞口１８が開閉制御される場合における当り遊技用演出の演出態様は、ゲーム用演出と見た目上に同一と認識可能であればよい。
【０１６５】
・上記実施形態において、背景画像と飾図とを用いて、ゲーム用演出と見た目上に同一と認識可能な当り遊技用演出が実行されたが、これに限らず、例えば、背景画像と飾図との何れか一方を用いてもよく、例えば、キャラクタ画像などの他の画像を用いてもよい。
【０１６６】
・上記実施形態において、画像を表示させることによって、演出を実行させたが、これに限らず、例えば、音声、ランプ等の発光、変位可能な可動体、振動、送風等であってもよく、これらの組み合わせであってもよい。つまり、画像の表示態様に限らず、各種の演出の演出態様を異ならせればよい。
【０１６７】
・上記実施形態において、特図を用いた変動ゲームと当り遊技とに本発明を採用したが、これに限らず、例えば、普図と用いた普図ゲームと普通当り遊技とに本発明を採用してもよく、これらの組み合わせであってもよい。
【０１６８】
・上記実施形態において、ゲーム実行手段として演出表示装置１１が、ゲーム制御手段として演出制御基板３１がそれぞれ機能したが、これに限らず、例えば、ゲーム実行手段として特別図柄表示装置１２が、ゲーム制御手段として主制御基板３０がそれぞれ機能してもよい。
【０１６９】
・上記実施形態において、演出制御用ＣＰＵ３１ａは、大当りとなる変動ゲームの開始時に特図指定コマンドに基づいて、大当りの種類が特定可能であるが、これに限らず、例えば、特図を指定する特図指定コマンドでなくても、付与される大当りを指定するコマンドであればよい。
【０１７０】
・上記実施形態において、主制御基板３０、演出制御基板３１など、各種の基板から構成されたが、これに限らない。例えば、各種の基板を、それぞれ複数の基板から構成してもよい。また、例えば、主制御基板３０と演出制御基板３１とを一つの基板として構成してもよい。
【０１７１】
次に、上記実施形態及び別例から把握できる技術的思想を以下に追記する。
（イ）前記特定の当り遊技にて前記利益獲得可能態様での前記開閉制御を伴う場合の当り遊技用演出は、前記当り遊技中であることを積極的に報知する内容で構成されている請求項５に記載の遊技機。
【０１７２】
（ロ）前記利益獲得困難態様に基づく前記特別入賞口の１回の開放時間は、遊技球が連続発射される際に遊技球が発射される所定間隔以下の時間に設定されている一方、前記利益獲得可能態様に基づく前記特別入賞口の１回の開放時間は、遊技球が連続発射される際に遊技球が発射される所定間隔よりも長い時間に設定されている請求項４に記載の遊技機。
【符号の説明】
【０１７３】
１１…演出表示装置（ゲーム実行手段）、１４…始動入賞口、１８…大入賞口（特別入賞口）、３０…主制御基板、３０ａ…主制御用ＣＰＵ（開閉制御手段）、３１…演出制御基板、３１ａ…演出制御用ＣＰＵ（ゲーム制御手段、当り遊技演出制御手段）。
【図１】
2014023850.tif 000003
【図２】
2014023850.tif 000004
【図３】
2014023850.tif 000005
【図４】
2014023850.tif 000006
【図５】
2014023850.tif 000007
【図６】
2014023850.tif 000008
【図７】
2014023850.tif 000009
【図８】
2014023850.tif 000010
【図９】
2014023850.tif 000011
【図１０】
2014023850.tif 000012